(57)【要約】  EL表示パネル１０は、EL基板１１とCF１２とを対向配置させ、EL基板１１とCF１２との間に樹脂１２１を充填してなる。CF１２において、隣接する第１画素と第２画素との間に対応する隔壁１１２は共通しており、共通している隔壁の幅は、各画素に対応する第１領域、第２領域、及び第３領域間の各々のCF１２の隔壁の幅より広くなっている。第１画素に対応する前記第１領域、前記第２領域、及び前記第３領域の中で端部となる領域に形成されたCF層１１３の、前記第２画素側の隔壁の上面に形成された部分が、前記第２画素側に延設され、かつ、前記第２画素に対応する前記第１領域、前記第２領域、及び前記第３領域の中で前記第１画素に隣接する領域に形成されたCF層の、前記第１画素側の隔壁の上面に形成された部分に重畳している。
2011158288.tif 000002
【特許請求の範囲】
【請求項１】
赤色光を出力する第１発光部、緑色光を出力する第２発光部、及び青色光を出力する第３発光部を一単位とする画素が行列状に複数配列されたEL基板と、
前記EL基板の光の出力側に設けられたカラーフィルターのベースと、
前記カラーフィルターのベースの前記EL基板側に形成され、前記第１発光部に対応する第１領域、前記第２発光部に対応する第２領域、及び前記第３発光部に対応する第３領域の各々を区画するカラーフィルターの隔壁と、
前記第１領域を区画する両側の隔壁の上面から前記両側の隔壁の側面及び前記両側の隔壁によって区画された第１領域に対応するベースの表面、に沿った形状に窪んで形成され、所望の赤色光を透過する第１カラーフィルター層と、
前記第２領域を区画する両側の隔壁の上面から前記両側の隔壁の側面及び前記両側の隔壁によって区画された第２領域に対応するベースの表面、に沿った形状に窪んで形成され、所望の緑色光を透過する第２カラーフィルター層と、
前記第３領域を区画する両側の隔壁の上面から前記両側の隔壁の側面及び前記両側の隔壁によって区画された第３領域に対応するベースの表面、に沿った形状に窪んで形成され、所望の青色光を透過する第３カラーフィルター層と、
前記第１カラーフィルター層、前記第２カラーフィルター層、及び前記第３カラーフィルター層と、前記EL基板との間に充填された樹脂層と、を具備し、
隣接する第１画素と第２画素との間に対応する前記カラーフィルターの隔壁は共通しており、
共通している隔壁の幅は、各画素に対応する前記第１領域、前記第２領域、及び前記第３領域間の各々の前記カラーフィルターの隔壁の幅より広く、
前記第１画素に対応する前記第１領域、前記第２領域、及び前記第３領域の中で端部となる領域に形成されたカラーフィルター層の、前記第２画素側の隔壁の上面に形成された部分が、前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された部分に重畳している
EL表示パネル。
【請求項２】
前記第２画素に対応する前記第１領域、前記第２領域、及び前記第３領域の中で前記第１画素に隣接する領域に形成されたカラーフィルター層の、前記第１画素側の隔壁の上面に形成された部分は、前記第１画素側に延設されている
請求項１記載のEL表示パネル。
【請求項３】
前記隣接する第１画素と第２画素との間に対応する前記カラーフィルターの隔壁の上面の中央部において、
前記第１画素に対応する前記第１領域、前記第２領域、及び前記第３領域の中で端部となる領域に形成されたカラーフィルター層の、前記第２画素側の隔壁の上面に形成された部分は、
前記第２画素に対応する前記第１領域、前記第２領域、及び前記第３領域の中で前記第１画素に隣接する領域に形成されたカラーフィルター層の、前記第１画素側の隔壁の上面に形成された部分に重畳している
請求項２に記載のEL表示パネル。
【請求項４】
前記第１画素に対応する前記第１領域、前記第２領域、及び前記第３領域の各領域に形成されたカラーフィルター層の、前記第２画素と交差する方向に隣接する第３画素側の隔壁の上面に形成された部分が、前記第３画素側に延設されることにより、
前記第１画素に対応する前記第１領域、前記第２領域、及び前記第３領域の各領域に形成されたカラーフィルター層の、前記第３画素側の隔壁の反対側の隔壁の上面に形成された部分より長くなっている
請求項１〜３のいずれか１項に記載のEL表示パネル。
【請求項５】
赤色光を出力する第１発光部、緑色光を出力する第２発光部、及び青色光を出力する第３発光部を一単位とする画素が行列状に複数配列されたEL基板と、
前記EL基板の光の出力側に設けられたカラーフィルターのベースと、
前記第１発光部に対応するベースの表面の領域である第１領域に形成され、所望の赤色光を透過する第１カラーフィルター層と、
前記第２発光部に対応するベースの表面であって、第１カラーフィルター層と所定の間隔で離間した第２領域に形成され、所望の緑色光を透過する第２カラーフィルター層と、
前記第３発光部に対応するベースの表面であって、第２カラーフィルター層と、前記所定の間隔と同一、あるいは所定の近似値の範囲内で離間した第３領域に形成され、所望の青色光を透過する第３カラーフィルター層と、
前記第１カラーフィルター層、前記第２カラーフィルター層、及び前記第３カラーフィルター層と、前記EL基板との間に充填された樹脂層と、を具備し、
第１画素に対応する前記第１領域、前記第２領域、及び前記第３領域の中で端部となる領域に形成されたカラーフィルター層は、前記第１画素に隣接する第２画素側に延設され、かつ、前記端部となる領域に形成されたカラーフィルター層の、前記第２画素側の端部が、前記第２画素に対応する前記第１領域、前記第２領域、及び前記第３領域の中で前記第１画素に隣接する領域に形成されたカラーフィルター層の、前記第１画素側の端部に重畳している
EL表示パネル。
【請求項６】
前記第２画素に対応する前記第１領域、前記第２領域、及び前記第３領域の中で前記第１画素に隣接する領域に形成されたカラーフィルター層は、前記第１画素側に延設されている
請求項５に記載のEL表示パネル。
【請求項７】
前記隣接する第１画素と第２画素との間に対応する領域の中央部において、
前記第１画素に対応する前記第１領域、前記第２領域、及び前記第３領域の中で端部となる領域に形成されたカラーフィルター層の、前記第２画素側の端部は、前記第２画素に対応する前記第１領域、前記第２領域、及び前記第３領域の中で前記第１画素に隣接する領域に形成されたカラーフィルター層の、前記第１画素側の端部に重畳している
請求項６に記載のEL表示パネル。
【請求項８】
前記第１画素に対応する前記第１領域、前記第２領域、及び前記第３領域の各領域に形成されたカラーフィルター層は、前記第２画素と交差する方向に隣接する第３画素側に延設されている
請求項５〜７のいずれか１項に記載のEL表示パネル。
【請求項９】
請求項１ないし請求項８のいずれか１項に記載のEL表示パネルを備えた、
EL表示装置。
【請求項１０】
前記第１発光部、前記第２発光部、及び前記第３発光部の各々は、有機発光部である、
請求項１ないし請求項８のいずれか１項に記載のEL表示パネル。
【請求項１１】
請求項１０に記載のEL表示パネルを備えた、
有機EL表示装置。
【請求項１２】
赤色光を出力する第１発光部、緑色光を出力する第２発光部、及び青色光を出力する第３発光部を一単位とする画素が行列状に複数配列されたEL基板を準備する第１工程と、
カラーフィルターのベースを準備する第２工程と、
前記ベース上であって、前記ベースの前記EL基板と対向させる側に、前記第１発光部に対応する第１領域、前記第２発光部に対応する第２領域、及び前記第３発光部に対応する第３領域の各々を区画するカラーフィルターの隔壁を形成する第３工程と、
前記第１領域を区画する両側の隔壁の上面から前記両側の隔壁の側面及び前記両側の隔壁によって区画された第１領域に対応するベースの表面、に沿った形状に窪んで、所望の赤色光を透過する第１カラーフィルター層を形成する第４工程と、
前記第２領域を区画する両側の隔壁の上面から前記両側の隔壁の側面及び前記両側の隔壁によって区画された第２領域に対応するベースの表面、に沿った形状に窪んで、所望の緑色光を透過する第２カラーフィルター層を形成する第５工程と、
前記第３領域を区画する両側の隔壁の上面から前記両側の隔壁の側面及び前記両側の隔壁によって区画された第３領域に対応するベースの表面、に沿った形状に窪んで、所望の青色光を透過する第３カラーフィルター層を形成する第６工程と、
前記第１カラーフィルター層、前記第２カラーフィルター層、及び前記第３カラーフィルター層と、前記EL基板との間に樹脂材料を充填する第７工程とを具備し、
隣接する第１画素と第２画素との間に対応する前記カラーフィルターの隔壁は共通しており、
共通している隔壁の幅は、各画素に対応する前記第１領域、前記第２領域、及び前記第３領域間の各々の前記カラーフィルターの隔壁の幅より広く、
前記第１画素に対応する前記第１領域、前記第２領域、及び前記第３領域の中で端部となる領域に形成されたカラーフィルター層の、前記第２画素側の隔壁の上面に形成された部分が、
前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された部分に重畳している
EL表示パネルの製造方法。
【請求項１３】
前記第２画素に対応する前記第１領域、前記第２領域、及び前記第３領域の中で前記第１画素に隣接する領域に形成されたカラーフィルター層の、前記第１画素側の隔壁の上面に形成された部分は、前記第１画素側に延設されている
請求項１２記載のEL表示パネルの製造方法。
【請求項１４】
前記隣接する第１画素と第２画素との間に対応する前記カラーフィルターの隔壁の上面の中央部において、
前記第１画素に対応する前記第１領域、前記第２領域、及び前記第３領域の中で端部となる領域に形成されたカラーフィルター層の、前記第２画素側の隔壁の上面に形成された部分は、
前記第２画素に対応する前記第１領域、前記第２領域、及び前記第３領域の中で前記第１画素に隣接する領域に形成されたカラーフィルター層の、前記第１画素側の隔壁の上面に形成された部分に重畳している
請求項１３に記載のEL表示パネルの製造方法。
【請求項１５】
前記第１画素に対応する前記第１領域、前記第２領域、及び前記第３領域の各領域に形成されたカラーフィルター層の、前記第２画素と交差する方向に隣接する第３画素側の隔壁の上面に形成された部分が、前記第３画素側に延設されることにより、
前記第１画素に対応する前記第１領域、前記第２領域、及び前記第３領域の各領域に形成されたカラーフィルター層の、前記第３画素側の隔壁の反対側の隔壁の上面に形成された部分より長くなっている
請求項１２〜１４のいずれか１項に記載のEL表示パネルの製造方法。
【請求項１６】
赤色光を出力する第１発光部、緑色光を出力する第２発光部、及び青色光を出力する第３発光部を一単位とする画素が行列状に複数配列されたEL基板を準備する第１工程と、
カラーフィルターのベースを準備する第２工程と、
前記第１発光部に対応するベースの表面の領域である第１領域に、所望の赤色光を透過する第１カラーフィルター層を形成する第３工程と、
前記第２発光部に対応するベースの表面であって、第１カラーフィルター層と所定の間隔で離間した第２領域に、所望の緑色光を透過する第２カラーフィルター層を形成する第４工程と、
前記第３発光部に対応するベースの表面であって、第２カラーフィルター層と、前記所定の間隔と同一、あるいは所定の近似値の範囲内で離間した第３領域に、所望の青色光を透過する第３カラーフィルター層を形成する第５工程と、
前記第１カラーフィルター層、前記第２カラーフィルター層、及び前記第３カラーフィルター層と、前記EL基板と、の間に樹脂材料を充填する第６工程とを具備し、
第１画素に対応する前記第１領域、前記第２領域、及び前記第３領域の中で端部となる領域に形成されたカラーフィルター層は、前記第１画素に隣接する第２画素側に延設され、かつ、前記端部となる領域に形成されたカラーフィルター層の、前記第２画素側の端部が、前記第２画素に対応する前記第１領域、前記第２領域、及び前記第３領域の中で前記第１画素に隣接する領域に形成されたカラーフィルター層の、前記第１画素側の端部に重畳している
EL表示パネルの製造方法。
【請求項１７】
前記第２画素に対応する前記第１領域、前記第２領域、及び前記第３領域の中で前記第１画素に隣接する領域に形成されたカラーフィルター層は、前記第１画素側に延設されている
請求項１６に記載のEL表示パネルの製造方法。
【請求項１８】
前記隣接する第１画素と第２画素との間に対応する領域の中央部において、
前記第１画素に対応する前記第１領域、前記第２領域、及び前記第３領域の中で端部となる領域に形成されたカラーフィルター層の、前記第２画素側の端部は、前記第２画素に対応する前記第１領域、前記第２領域、及び前記第３領域の中で前記第１画素に隣接する領域に形成されたカラーフィルター層の、前記第１画素側の端部に重畳している
請求項１７に記載のEL表示パネルの製造方法。
【請求項１９】
前記第１画素に対応する前記第１領域、前記第２領域、及び前記第３領域の各領域に形成されたカラーフィルター層は、前記第２画素と交差する方向に隣接する第３画素側に延設されている
請求項１６〜１８のいずれか１項に記載のEL表示パネルの製造方法。
【発明の詳細な説明】
【技術分野】
【０００１】
本発明は、EL表示パネル、EL表示パネルを備えたEL表示装置、有機EL表示装置、およびEL表示パネルの製造方法に関し、特に、EL表示パネルにおけるカラーフィルターの構造に関する。
【背景技術】
【０００２】
従来、表示パネルとして液晶表示パネルが知られている（例えば、特許文献１参照）。同パネルは、一方の面にそれぞれ所定の構成要素が形成された２枚のガラス基板を対向配置し両基板間に液晶を充填してなる。一方のガラス基板の主面（他方のガラス基板と対向する対向面）上には、所定の構成要素として、ブラックマトリクス（以下、「BM」という）及びR,G,Bに対応する各カラーフィルター（以下、（CF）という）層が形成されている（以下、ガラス基板上にBM及び各CF層が形成されたものを「カラーフィルター（CF）」という）。ガラス基板上に形成されたBM及び各CF層の配置関係の一例について説明すると、R,G,Bに対応する各CF層が行列状に形成され、隣接するCF層の間にBMが形成されている。各CF層は、当該CF層を規定しているBMの形状に沿って形成されており、当該BMの端部上面に一部が乗り上げた状態となっている。【０００３】
ところで近年、次世代の表示パネルとして、EL表示パネルの研究・開発が進んでいる。同パネルは、一方の面にR,G,Bに対応する各発光部の組みを一単位とする画素が行列状に複数配列されたEL基板に対し、CFを対向配置させ、EL基板とCFとの間に封止用の樹脂を充填してなる。
【先行技術文献】
【特許文献】
【０００４】
【特許文献１】特開２００８−１１２００１号公報
【発明の概要】
【発明が解決しようとする課題】
【０００５】
上述のように、液晶表示パネルには液晶が充填されるのに対し、EL表示パネルでは液晶ではなく樹脂が充填されるが、発明者は、EL表示パネルにおいて樹脂が充填されていない未充填部分が存在することを確認した。この未充填部分が、発光部における発光層に相当する領域に存在する場合に特に問題となる。この未充填部分に酸素や水分が溜まると、溜まった酸素や水分が発光部における発光層と反応し、当該発光層を劣化させてしまうからである。その結果、発光層から出力される光の輝度が低減したり、発光層の寿命が短縮したりする。さらに、樹脂の充填部分と未充填部分とで屈折率が異なるために光の反射が起こり、光取り出し効率も低下する可能性がある。【０００６】
発明者は、理論上必要とされる量の２、３倍に樹脂の量を増やして実験したが、改善は見られなかった。【０００７】
さらに樹脂の量を増やすことも考えられるが、これ以上の樹脂量の増加は、EL基板とCFとの間隔を均一に保つことを困難にし、適切ではない。【０００８】
本発明は、樹脂量を増やすことなく、発光層に相当する領域において樹脂が充填されていない未充填部分を低減したEL表示パネルを提供することを目的とする。
【課題を解決するための手段】
【０００９】
上記課題を解決するために、本発明の一態様に係るEL表示パネルは、赤色光を出力する第１発光部、緑色光を出力する第２発光部、及び青色光を出力する第３発光部を一単位とする画素が行列状に複数配列されたEL基板と、前記EL基板の光の出力側に設けられたカラーフィルターのベースと、前記カラーフィルターのベースの前記EL基板側に形成され、前記第１発光部に対応する第１領域、前記第２発光部に対応する第２領域、及び前記第３発光部に対応する第３領域の各々を区画するカラーフィルターの隔壁と、前記第１領域を区画する両側の隔壁の上面から前記両側の隔壁の側面及び前記両側の隔壁によって区画された第１領域に対応するベースの表面、に沿った形状に窪んで形成され、所望の赤色光を透過する第１カラーフィルター層と、前記第２領域を区画する両側の隔壁の上面から前記両側の隔壁の側面及び前記両側の隔壁によって区画された第２領域に対応するベースの表面、に沿った形状に窪んで形成され、所望の緑色光を透過する第２カラーフィルター層と、前記第３領域を区画する両側の隔壁の上面から前記両側の隔壁の側面及び前記両側の隔壁によって区画された第３領域に対応するベースの表面、に沿った形状に窪んで形成され、所望の青色光を透過する第３カラーフィルター層と、前記第１カラーフィルター層、前記第２カラーフィルター層、及び前記第３カラーフィルター層と、前記EL基板との間に充填された樹脂層と、を具備し、隣接する第１画素と第２画素との間に対応する前記カラーフィルターの隔壁は共通しており、共通している隔壁の幅は、各画素に対応する前記第１領域、前記第２領域、及び前記第３領域間の各々の前記カラーフィルターの隔壁の幅より広く、前記第１画素に対応する前記第１領域、前記第２領域、及び前記第３領域の中で端部となる領域に形成されたカラーフィルター層の、前記第２画素側の隔壁の上面に形成された部分が、前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された部分に重畳している構成とした。
【発明の効果】
【００１０】
発明者は、未充填部分が存在する原因としてCFの形状に着目した。CFにおいて、各CF層は、当該CF層を規定している隔壁の端部上面に一部が乗り上げた状態で形成されているため、隔壁とCF層とで段差が生じ、CFの形状は凹凸形状になっている。より詳細には、CF層上面に比べ、隔壁上面が低くなっており、そのためにCF全体として見た場合に、CF層が凸部になり、隔壁上面に形成された、隣接するCF層の部分同士の隙間部分が凹部となっている。【００１１】
また、EL表示パネルでは、陰極での電圧降下による輝度のばらつきを軽減するために、EL基板側に、陰極に対して電圧供給を図る補助電極が画素毎に配置されている。そのため、CFにおいて、補助電極が形成されている画素間に対応する領域（以下、「画素間領域」という）では、サブピクセル間に対応する領域（以下、「サブピクセル間領域」という）に比べて、隔壁が幅広に形成されている。その結果、CFにおいて、画素間領域に形成された隔壁における凹部は、サブピクセル間領域に形成された隔壁における凹部に比べ、幅広になる。【００１２】
発明者は、EL表示パネルにおける未充填部分が、CFの凹凸形状に起因していることを突き止めた。より詳細には、CFに樹脂を滴下した場合に、画素間領域に形成された隔壁における幅広の凹部に樹脂が真っ先に拡がり、そのためにCF層上に樹脂が拡がりづらくなっていることを確認した。結果として、EL基板とCFとを貼り合わせた際には、発光層に相当する領域に樹脂が充填されていない未充填部分が存在していた。【００１３】
本発明の一態様に係るEL表示パネルでは、前記第１画素に対応する前記第１領域、前記第２領域、及び前記第３領域の中で端部となる領域に形成されたCF層の、前記第２画素側の隔壁の上面に形成された部分が、前記第２画素側に延設され、かつ、前記第２画素に対応する前記第１領域、前記第２領域、及び前記第３領域の中で前記第１画素に隣接する領域に形成されたCF層の、前記第１画素側の隔壁の上面に形成された部分に重畳している。【００１４】
このため、本発明の一態様に係るEL表示パネルでは、第１画素と第２画素との間に対応する前記CFの隔壁（以下、「画素間隔壁」という）の幅が、各画素に対応する前記第１領域、前記第２領域、及び前記第３領域間の各々の前記CFの隔壁（以下、「サブピクセル間隔壁」という）の幅より広くなっているものの、画素間隔壁上には、樹脂が拡がる際の通路となり得る凹部は存在しない。【００１５】
画素間隔壁上には、CF層が重畳されているため、CF全体としてみた場合には、逆に、凸部が形成されることになる。そして、この凸部に対して、画素に対応する領域に形成されたR,G,Bに対応する各CF層全体として凹部が形成されている。【００１６】
つまり、R,G,Bに対応する各CF層全体で、樹脂が拡がる際の通路となる凹部を形成しているので、CFに樹脂を滴下した場合に、画素間隔壁上面の凸部に樹脂が拡がりづらくなる一方で、凹部となる各CF層上には樹脂が拡がり易くなる。【００１７】
CFに樹脂を滴下した際に各CF層上に樹脂が拡がりやすくなるので、CFとEL基板とを貼り合わせた際の、すなわち、EL表示パネルにおける、発光層に相当する領域での樹脂の未充填部分を低減することができる。【００１８】
また、本発明の一態様に係るEL表示パネルでは、別途特別な材料を用いて画素間隔壁上に凸部を形成するのではなく、CF層という既存材料を延設させることにより画素間隔壁上に凸部を形成するので、簡易な構成により未充填部分を低減することができる。
【図面の簡単な説明】
【００１９】
【図１】実施の形態１の表示装置１の全体構成を模式的に示すブロック図である。
【図２】実施の形態１の有機EL表示パネル１０の要部を模式的に示す部分断面図である。
【図３】（ａ）実施の形態１のBMの構成を模式的に示す図である。（ｂ）実施の形態１のBMとCF層との配置関係を模式的に示す図である。
【図４】（ａ）実施の形態１のCFの構成を示す部分断面図（図３のＡ−Ａ’断面）である。（ｂ）実施の形態１のCFの構成を示す部分断面図（図３のＢ−Ｂ’断面）である。
【図５】実施の形態１のCFの製造工程の一例を示す図である。
【図６】（ａ）比較用のBMとCF層との配置関係を模式的に示す図である。（ｂ）比較用のCFの構成を示す部分断面図（図６（ａ）のＣ−Ｃ’断面）である。（ｃ）比較用のCFの構成を示す部分断面図（図６（ａ）のＤ−Ｄ’断面）である。
【図７】（ａ）比較用のCFに樹脂を滴下した状態を示す模式図及び比較用のCFでの樹脂の拡がり具合を示す模式図である。（ｂ）樹脂が滴下された状態における、比較用のCFの構成を示す模式図（図７（ａ）のＥ−Ｅ’断面）である。
【図８】比較用のCFを用いた有機EL表示パネル１０００の構成を模式的に示す部分断面端面図である。
【図９】（ａ）実施の形態１のCFに樹脂を滴下した状態を示す模式図及び実施の形態１のCFでの樹脂の拡がり具合を示す模式図である。（ｂ）樹脂が滴下された状態における、実施の形態１のCFの構成を示す模式図（図９（ａ）のＦ−Ｆ’断面）である。
【図１０】（ａ）実施の形態１のCFでの樹脂の拡がり具合を示す模式図である（図９（ａ）の領域Ａ）。（ｂ）樹脂が滴下された状態における、実施の形態１のCFの構成を示す模式図（図９（ａ）のＧ−Ｇ’断面）である。
【図１１】変形例１−１におけるBMとCF層との配置関係を模式的に示す図である。
【図１２】実施の形態２の有機EL表示パネル１０の構成を示す部分断面図である。
【図１３】（ａ）実施の形態２のBMとCF層との配置関係を模式的に示す図である。（ｂ）実施の形態２のCFの構成を示す部分断面図（図１３（ａ）のＨ−Ｈ’断面）である。（ｃ）は、実施の形態２のCFの構成を示す部分断面図（図１３（ａ）のＩ−Ｉ’断面）である。
【図１４】表示装置１の外観を示す外観斜視図である。
【図１５】比較用のCFに樹脂を滴下した際の樹脂の拡がり具合を示す写真である。
【発明を実施するための形態】
【００２０】
［実施の態様］
本発明の一態様であるEL表示パネルは、赤色光を出力する第１発光部、緑色光を出力する第２発光部、及び青色光を出力する第３発光部を一単位とする画素が行列状に複数配列されたEL基板と、前記EL基板の光の出力側に設けられたカラーフィルターのベースと、前記カラーフィルターのベースの前記EL基板側に形成され、前記第１発光部に対応する第１領域、前記第２発光部に対応する第２領域、及び前記第３発光部に対応する第３領域の各々を区画するカラーフィルターの隔壁と、前記第１領域を区画する両側の隔壁の上面から前記両側の隔壁の側面及び前記両側の隔壁によって区画された第１領域に対応するベースの表面、に沿った形状に窪んで形成され、所望の赤色光を透過する第１カラーフィルター層と、前記第２領域を区画する両側の隔壁の上面から前記両側の隔壁の側面及び前記両側の隔壁によって区画された第２領域に対応するベースの表面、に沿った形状に窪んで形成され、所望の緑色光を透過する第２カラーフィルター層と、前記第３領域を区画する両側の隔壁の上面から前記両側の隔壁の側面及び前記両側の隔壁によって区画された第３領域に対応するベースの表面、に沿った形状に窪んで形成され、所望の青色光を透過する第３カラーフィルター層と、前記第１カラーフィルター層、前記第２カラーフィルター層、及び前記第３カラーフィルター層と、前記EL基板との間に充填された樹脂層と、を具備し、隣接する第１画素と第２画素との間に対応する前記カラーフィルターの隔壁は共通しており、共通している隔壁の幅は、各画素に対応する前記第１領域、前記第２領域、及び前記第３領域間の各々の前記カラーフィルターの隔壁の幅より広く、前記第１画素に対応する前記第１領域、前記第２領域、及び前記第３領域の中で端部となる領域に形成されたカラーフィルター層の、前記第２画素側の隔壁の上面に形成された部分が、前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された部分に重畳している構成とした。
【００２１】
本発明の一態様に係るEL表示パネルでは、前記第１画素に対応する前記第１領域、前記第２領域、及び前記第３領域の中で端部となる領域に形成されたCF層の、前記第２画素側の隔壁の上面に形成された部分が、前記第２画素側に延設され、かつ、前記第２画素に対応する前記第１領域、前記第２領域、及び前記第３領域の中で前記第１画素に隣接する領域に形成されたCF層の、前記第１画素側の隔壁の上面に形成された部分に重畳している。
【００２２】
このため、本発明の一態様に係るEL表示パネルでは、第１画素と第２画素との間に対応する前記CFの隔壁の幅が、各画素に対応する前記第１領域、前記第２領域、及び前記第３領域間の各々の前記CFの隔壁の幅より広くなっているものの、画素間隔壁上には、樹脂が拡がる際の通路となり得る凹部は存在しない。
【００２３】
画素間隔壁上には、CF層が重畳されているため、CF全体としてみた場合には、逆に、凸部が形成されることになる。そして、この凸部に対して、画素に対応する領域に形成されたR,G,Bに対応する各CF層全体として凹部が形成されている。
【００２４】
つまり、R,G,Bに対応する各CF層全体で、樹脂が拡がる際の通路となる凹部を形成しているので、CFに樹脂を滴下した場合に、画素間隔壁上面の凸部に樹脂が拡がりづらくなる一方で、凹部となる各CF層上には樹脂が拡がり易くなる。
【００２５】
CFに樹脂を滴下した際に各CF層上に樹脂が拡がりやすくなるので、CFとEL基板とを貼り合わせた際の、すなわち、EL表示パネルにおける、発光層に相当する領域での樹脂の未充填部分を低減することができる。
【００２６】
また、本発明の一態様に係るEL表示パネルでは、別途特別な材料を用いて画素間隔壁上に凸部を形成するのではなく、CF層という既存材料を延設させることにより画素間隔壁上に凸部を形成するので、簡易な構成により未充填部分を低減することができる。
【００２７】
ここで、本発明の別の態様として、前記第２画素に対応する前記第１領域、前記第２領域、及び前記第３領域の中で前記第１画素に隣接する領域に形成されたカラーフィルター層の、前記第１画素側の隔壁の上面に形成された部分は、前記第１画素側に延設されているとしてもよい。
【００２８】
ここで、本発明の別の態様として、前記隣接する第１画素と第２画素との間に対応する前記カラーフィルターの隔壁の上面の中央部において、前記第１画素に対応する前記第１領域、前記第２領域、及び前記第３領域の中で端部となる領域に形成されたカラーフィルター層の、前記第２画素側の隔壁の上面に形成された部分は、前記第２画素に対応する前記第１領域、前記第２領域、及び前記第３領域の中で前記第１画素に隣接する領域に形成されたカラーフィルター層の、前記第１画素側の隔壁の上面に形成された部分に重畳しているとしてもよい。
【００２９】
本態様のEL表示パネルでは、前記隣接する第１画素と第２画素との間に対応する前記カラーフィルターの隔壁の上面の中央部において、隣接するCF層の端部同士が重畳している。
【００３０】
このため、隣接する第１画素と第２画素に対応する各領域に樹脂が均等に拡がり易くなるので、各領域で樹脂の充填度合いに差が生じ難くなる。また、各領域に樹脂が均等に拡がり易くなることで、何れの領域においても樹脂の未充填部分を低減することができる。
【００３１】
ここで、本発明の別の態様として、前記第１画素に対応する前記第１領域、前記第２領域、及び前記第３領域の各領域に形成されたカラーフィルター層の、前記第２画素と交差する方向に隣接する第３画素側の隔壁の上面に形成された部分が、前記第３画素側に延設されることにより、前記第１画素に対応する前記第１領域、前記第２領域、及び前記第３領域の各領域に形成されたカラーフィルター層の、前記第３画素側の隔壁の反対側の隔壁の上面に形成された部分より長くなっているとしてもよい。
【００３２】
本態様のEL表示パネルでは、前記第１画素に対応する前記第１領域、前記第２領域、及び前記第３領域の各領域に形成されたCF層の、前記第３画素側の隔壁の上面に形成された部分が、前記第３画素側に延設される。これにより、前記第１画素に対応する前記第１領域、前記第２領域、及び前記第３領域の各領域に形成されたCF層の、前記第３画素側の隔壁の上面に形成された部分と、前記第３画素に対応する前記第１領域、前記第２領域、及び前記第３領域の各領域に形成されたCF層の、第１画素側の隔壁の上面に形成された部分との間隔を狭めることができる。
【００３３】
このことは、樹脂が拡がる際の通路となる凹部の幅を狭めることを意味するので、CFに樹脂を滴下した場合に、第１画素と第３画素との間に対応する画素間隔壁上に樹脂が拡がりづらくなる一方で、各CF層上には樹脂が拡がりやすくなる。
【００３４】
前記隣接する第１画素と第２画素との間に対応する前記カラーフィルターの隔壁上において、隣接するCF層の端部同士が重畳しているだけでなく、前記第１画素に対応する前記第１領域、前記第２領域、及び前記第３領域の各領域に形成されたCF層を第３画素側に延設させるので、EL表示パネルにおいて樹脂の未充填部分をより一層低減することができる。
【００３５】
ここで、本発明の別の態様として、赤色光を出力する第１発光部、緑色光を出力する第２発光部、及び青色光を出力する第３発光部を一単位とする画素が行列状に複数配列されたEL基板と、前記EL基板の光の出力側に設けられたカラーフィルターのベースと、前記第１発光部に対応するベースの表面の領域である第１領域に形成され、所望の赤色光を透過する第１カラーフィルター層と、前記第２発光部に対応するベースの表面であって、第１カラーフィルター層と所定の間隔で離間した第２領域に形成され、所望の緑色光を透過する第２カラーフィルター層と、前記第３発光部に対応するベースの表面であって、第２カラーフィルター層と、前記所定の間隔と同一、あるいは所定の近似値の範囲内で離間した第３領域に形成され、所望の青色光を透過する第３カラーフィルター層と、前記第１カラーフィルター層、前記第２カラーフィルター層、及び前記第３カラーフィルター層と、前記EL基板との間に充填された樹脂層と、を具備し、第１画素に対応する前記第１領域、前記第２領域、及び前記第３領域の中で端部となる領域に形成されたカラーフィルター層は、前記第１画素に隣接する第２画素側に延設され、かつ、前記端部となる領域に形成されたカラーフィルター層の、前記第２画素側の端部が、前記第２画素に対応する前記第１領域、前記第２領域、及び前記第３領域の中で前記第１画素に隣接する領域に形成されたカラーフィルター層の、前記第１画素側の端部に重畳している構成とした。
【００３６】
本発明の一態様に係るEL表示パネルでは、前記第１画素に対応する前記第１領域、前記第２領域、及び前記第３領域の中で端部となる領域に形成されたCF層が、前記第２画素側に延設され、かつ、前記端部となる領域に形成されたCF層の端部が、前記第２画素に対応する前記第１領域、前記第２領域、及び前記第３領域の中で前記第１画素に隣接する領域に形成されたCF層の、前記第１画素側の端部に重畳している。
【００３７】
このため、本発明の一態様に係るEL表示パネルでは、第１画素と第２画素との間に対応する領域（以下、「画素間領域」という）に、樹脂が拡がる際の通路となり得る凹部は存在せず、逆に、当該画素間領域には、CF全体としてみた場合に凸部が形成されることになる。
【００３８】
そして、この凸部に対して、画素に対応する領域に形成されたR,G,Bに対応する各CF層全体として凹部が形成されている。
【００３９】
つまり、R,G,Bに対応する各CF層全体で、樹脂が拡がる際の通路となる凹部を形成しているので、CFに樹脂を滴下した場合に、画素間領域における凸部に樹脂が拡がりづらくなる一方で、凹部となる各CF層上には樹脂が拡がり易くなる。
【００４０】
CFに樹脂を滴下した際に各CF層上に樹脂が拡がりやすくなるので、CFとEL基板とを貼り合わせた際の、すなわち、EL表示パネルにおける、発光層に相当する領域での樹脂の未充填部分を低減することができる。
【００４１】
また、本発明の一態様に係るEL表示パネルでは、別途特別な材料を用いて画素間領域に凸部を形成するのではなく、CF層という既存材料を延設させることにより画素間領域に凸部を形成するので、簡易な構成により未充填部分を低減することができる。
【００４２】
このように、本態様によれば、隔壁を有さないCFを用いたEL表示パネルであっても、EL表示パネルにおける、発光層に相当する領域での樹脂の未充填部分を低減することができる。
【００４３】
ここで、本発明の別の態様として、前記第２画素に対応する前記第１領域、前記第２領域、及び前記第３領域の中で前記第１画素に隣接する領域に形成されたカラーフィルター層は、前記第１画素側に延設されているとしてもよい。
【００４４】
ここで、本発明の別の態様として、前記隣接する第１画素と第２画素との間に対応する領域の中央部において、前記第１画素に対応する前記第１領域、前記第２領域、及び前記第３領域の中で端部となる領域に形成されたカラーフィルター層の、前記第２画素側の端部は、前記第２画素に対応する前記第１領域、前記第２領域、及び前記第３領域の中で前記第１画素に隣接する領域に形成されたカラーフィルター層の、前記第１画素側の端部に重畳しているとしてもよい。
【００４５】
本態様のEL表示パネルでは、画素間領域の中央部において、隣接するCF層の端部同士が重畳している。
【００４６】
このため、隣接する第１画素と第２画素に対応する各領域に樹脂が均等に拡がり易くなるので、各領域で樹脂の充填度合いに差が生じ難くなる。また、各領域に樹脂が均等に拡がり易くなることで、何れの領域においても樹脂の未充填部分を低減することができる。
【００４７】
ここで、本発明の別の態様として、前記第１画素に対応する前記第１領域、前記第２領域、及び前記第３領域の各領域に形成されたカラーフィルター層は、前記第２画素と交差する方向に隣接する第３画素側に延設されているとしてもよい。
【００４８】
本態様のEL表示パネルでは、前記第１画素に対応する前記第１領域、前記第２領域、及び前記第３領域の各領域に形成されたCF層は、前記第３画素側に延設されている。これにより、前記第１画素に対応する前記第１領域、前記第２領域、及び前記第３領域の各領域に形成されたCF層と、前記第３画素に対応する前記第１領域、前記第２領域、及び前記第３領域の各領域に形成されたCF層との間隔を狭めることができる。
【００４９】
このことは、樹脂が拡がる際の通路となる凹部の幅を狭めることを意味するので、CFに樹脂を滴下した場合に、第１画素と第３画素との間に対応する画素間領域に樹脂が拡がりづらくなる一方で、各CF層上には樹脂が拡がりやすくなる。
【００５０】
前記隣接する第１画素と第２画素との画素間領域において、隣接するCF層の端部同士が重畳しているだけでなく、前記第１画素に対応する前記第１領域、前記第２領域、及び前記第３領域の各領域に形成されたCF層を第３画素側に延設させるので、EL表示パネルにおいて樹脂の未充填部分をより一層低減することができる。
【００５１】
ここで、本発明の別の態様として、上記本発明の一態様に係るEL表示パネルを備えたEL表示装置としてもよい。
【００５２】
本態様のEL表示装置では、上記同様の理由により、EL表示パネルにおいて発光層に相当する領域での樹脂の未充填部分を低減することができる。
【００５３】
ここで、本発明の別の態様として、前記第１発光部、前記第２発光部、及び前記第３発光部の各々は、有機発光部であるとしてもよい。
【００５４】
本態様によれば、前記第１発光部、前記第２発光部、及び前記第３発光部の各々は有機発光部であるため、有機EL表示パネルを実現することができる。
【００５５】
ここで、本発明の別の態様として、有機EL表示パネルを備えた有機EL表示装置としてもよい。
【００５６】
本態様の有機EL表示装置では、上記同様の理由により、EL表示パネルにおいて発光層に相当する領域での樹脂の未充填部分を低減することができる。
【００５７】
ここで、本発明の一態様であるEL表示パネルの製造方法は、赤色光を出力する第１発光部、緑色光を出力する第２発光部、及び青色光を出力する第３発光部を一単位とする画素が行列状に複数配列されたEL基板を準備する第１工程と、カラーフィルターのベースを準備する第２工程と、前記ベース上であって、前記ベースの前記EL基板と対向させる側に、前記第１発光部に対応する第１領域、前記第２発光部に対応する第２領域、及び前記第３発光部に対応する第３領域の各々を区画するカラーフィルターの隔壁を形成する第３工程と、前記第１領域を区画する両側の隔壁の上面から前記両側の隔壁の側面及び前記両側の隔壁によって区画された第１領域に対応するベースの表面、に沿った形状に窪んで、所望の赤色光を透過する第１カラーフィルター層を形成する第４工程と、前記第２領域を区画する両側の隔壁の上面から前記両側の隔壁の側面及び前記両側の隔壁によって区画された第２領域に対応するベースの表面、に沿った形状に窪んで、所望の緑色光を透過する第２カラーフィルター層を形成する第５工程と、前記第３領域を区画する両側の隔壁の上面から前記両側の隔壁の側面及び前記両側の隔壁によって区画された第３領域に対応するベースの表面、に沿った形状に窪んで、所望の青色光を透過する第３カラーフィルター層を形成する第６工程と、前記第１カラーフィルター層、前記第２カラーフィルター層、及び前記第３カラーフィルター層と、前記EL基板との間に樹脂材料を充填する第７工程とを具備し、隣接する第１画素と第２画素との間に対応する前記カラーフィルターの隔壁は共通しており、共通している隔壁の幅は、各画素に対応する前記第１領域、前記第２領域、及び前記第３領域間の各々の前記カラーフィルターの隔壁の幅より広く、前記第１画素に対応する前記第１領域、前記第２領域、及び前記第３領域の中で端部となる領域に形成されたカラーフィルター層の、前記第２画素側の隔壁の上面に形成された部分が、前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された部分に重畳しているとした。
【００５８】
ここで、本発明の別の態様として、前記第２画素に対応する前記第１領域、前記第２領域、及び前記第３領域の中で前記第１画素に隣接する領域に形成されたカラーフィルター層の、前記第１画素側の隔壁の上面に形成された部分は、前記第１画素側に延設されているとしてもよい。
【００５９】
ここで、本発明の別の態様として、前記隣接する第１画素と第２画素との間に対応する前記カラーフィルターの隔壁の上面の中央部において、前記第１画素に対応する前記第１領域、前記第２領域、及び前記第３領域の中で端部となる領域に形成されたカラーフィルター層の、前記第２画素側の隔壁の上面に形成された部分は、前記第２画素に対応する前記第１領域、前記第２領域、及び前記第３領域の中で前記第１画素に隣接する領域に形成されたカラーフィルター層の、前記第１画素側の隔壁の上面に形成された部分に重畳しているとしてもよい。
【００６０】
ここで、本発明の別の態様として、前記第１画素に対応する前記第１領域、前記第２領域、及び前記第３領域の各領域に形成されたカラーフィルター層の、前記第２画素と交差する方向に隣接する第３画素側の隔壁の上面に形成された部分が、前記第３画素側に延設されることにより、前記第１画素に対応する前記第１領域、前記第２領域、及び前記第３領域の各領域に形成されたカラーフィルター層の、前記第３画素側の隔壁の反対側の隔壁の上面に形成された部分より長くなっているとしてもよい。
【００６１】
ここで、本発明の一態様であるEL表示パネルの製造方法は、赤色光を出力する第１発光部、緑色光を出力する第２発光部、及び青色光を出力する第３発光部を一単位とする画素が行列状に複数配列されたEL基板を準備する第１工程と、カラーフィルターのベースを準備する第２工程と、前記第１発光部に対応するベースの表面の領域である第１領域に、所望の赤色光を透過する第１カラーフィルター層を形成する第３工程と、前記第２発光部に対応するベースの表面であって、第１カラーフィルター層と所定の間隔で離間した第２領域に、所望の緑色光を透過する第２カラーフィルター層を形成する第４工程と、前記第３発光部に対応するベースの表面であって、第２カラーフィルター層と、前記所定の間隔と同一、あるいは所定の近似値の範囲内で離間した第３領域に、所望の青色光を透過する第３カラーフィルター層を形成する第５工程と、前記第１カラーフィルター層、前記第２カラーフィルター層、及び前記第３カラーフィルター層と、前記EL基板と、の間に樹脂材料を充填する第６工程とを具備し、第１画素に対応する前記第１領域、前記第２領域、及び前記第３領域の中で端部となる領域に形成されたカラーフィルター層は、前記第１画素に隣接する第２画素側に延設され、かつ、前記端部となる領域に形成されたカラーフィルター層の、前記第２画素側の端部が、前記第２画素に対応する前記第１領域、前記第２領域、及び前記第３領域の中で前記第１画素に隣接する領域に形成されたカラーフィルター層の、前記第１画素側の端部に重畳しているとした。
【００６２】
ここで、本発明の別の態様として、前記第２画素に対応する前記第１領域、前記第２領域、及び前記第３領域の中で前記第１画素に隣接する領域に形成されたカラーフィルター層は、前記第１画素側に延設されているとしてもよい。
【００６３】
ここで、本発明の別の態様として、前記隣接する第１画素と第２画素との間に対応する領域の中央部において、前記第１画素に対応する前記第１領域、前記第２領域、及び前記第３領域の中で端部となる領域に形成されたカラーフィルター層の、前記第２画素側の端部は、前記第２画素に対応する前記第１領域、前記第２領域、及び前記第３領域の中で前記第１画素に隣接する領域に形成されたカラーフィルター層の、前記第１画素側の端部に重畳しているとしてもよい。
【００６４】
ここで、本発明の別の態様として、前記第１画素に対応する前記第１領域、前記第２領域、及び前記第３領域の各領域に形成されたカラーフィルター層は、前記第２画素と交差する方向に隣接する第３画素側に延設されているとしてもよい。
【００６５】
［実施の形態１］
＜表示装置１の全体構成＞
本実施の形態に係る表示装置１の全体構成について、図１を用い説明する。図１は、表示装置１の全体構成を模式的に示すブロック図である。
【００６６】
図１に示すように、表示装置１は、有機EL表示パネル１０と、これに接続された駆動制御部２０とを有し構成されている。有機EL表示パネル１０は、有機材料の電界発光現象を利用したトップエミッション型の有機EL表示パネルである。
【００６７】
また、駆動制御部２０は、４つの駆動回路２１〜２４と制御回路２５とから構成されている。
【００６８】
なお、実際の表示装置１では、有機EL表示パネル１０に対する駆動制御部２０の配置については、これに限られない。
＜有機EL表示パネル１０の構成＞
（有機EL表示パネル１０の概略構成）
有機EL表示パネル１０の構成について詳細に説明する。図２は、実施の形態１の有機EL表示パネル１０の要部を模式的に示す部分断面図である。図２に示すように、実施の形態１の有機EL表示パネル１０では、TFT基板１０１上に層間絶縁膜１０２が形成されており、この層間絶縁膜１０２上に、陽極１０３ａがサブピクセル単位で行列状にパターニングして形成されている。
【００６９】
また、Ｘ軸方向に隣り合う３つのサブピクセルの組み合わせにより１画素（ピクセル）が構成され、層間絶縁膜１０２上には、補助電極１０３ｂが画素毎に対応してライン状に形成されている。
【００７０】
陽極１０３ａ間、及び陽極１０３ａと補助電極１０３ｂとの間にはバンク１０４が形成されており、バンク１０４で規定された領域内において陽極１０３ａ上には、所定の色の有機発光層１０５が積層されている。さらに、有機発光層１０５上には、陰極１０６及び封止層１０７が、それぞれバンク１０４で規定された領域を超えて隣接する有機発光層１０５及び補助電極１０３ｂのものと連続するように形成されている。
【００７１】
以上、説明した各構成要素（１０１〜１０７）をまとめてEL基板１１という。
【００７２】
また、カラーフィルター（以下、「CF」という）の基板本体１１１の一方の面（EL基板１１に対向する対向面）にブラックマトリクス（以下、「BM」という）１１２及びR,G,Bに対応した各CF層１１３が配設されている。
【００７３】
以上、説明した各構成要素（１１１〜１１３）をまとめてCF１２という。
【００７４】
補助電極１０３ｂ、バンク１０４、及び有機発光層１０５（Ｒ）、（Ｇ）、（Ｂ）とBM１１２及びCF１１３（Ｒ）、（Ｇ）、（Ｂ）との配置関係について説明すると、図２に示すように、補助電極１０３ｂ及びバンク１０４に対応する領域にはBM１１２が形成されている。また、有機発光層１０５（Ｒ）、（Ｇ）、（Ｂ）に対応する各領域には、対応する色のCF層１１３（Ｒ）、（Ｇ）、（Ｂ）が形成されている。
【００７５】
また、画素間には補助電極１０３ｂが形成されているため、画素間に対応するBM（以下、「画素間BM」という）１１２は、サブピクセル間に対応するBM（以下、「サブピクセル間BM」という）１１２より幅広になっている。
【００７６】
EL基板１１とCF１２との間には、樹脂封止層１２１が充填されている。
【００７７】
（CF１２の構成）
─BM１１２の配置位置─
続いて、CF１２の構成について詳細に説明する。図３（ａ）は、BM１１２の配置位置を模式的に示す図である。図３（ａ）において、白抜き領域は、BM１１２が形成されていない領域を示している。Ｘ軸方向に隣り合う３つの白抜き領域（第１領域１１４、第２領域１１５、第３領域１１６）を一単位とし、図３（ａ）に示すように、これが行列状に複数形成されている。BM１１２は、行列状に形成された、第１領域１１４、第２領域１１５、及び第３領域１１６の各々を区画するように形成されている。
【００７８】
Ｘ軸方向において、幅広のBM１１２が画素間BMである。補助電極１０３ｂに対応して、画素単位で幅広のBM１１２が形成されている。
【００７９】
また、EL基板１１における陽極１０３ａの端部にはコンタクトホールが形成され、陽極１０３ａのコンタクトホール周辺の領域は、発光が規制される。そのため、CF１２において当該コンタクトホール周辺の領域に対応する領域もBM１１２が形成される。その結果、Ｙ軸方向のBM１１２は、サブピクセル間BM１１２に比べて、幅広になっている。
【００８０】
─BM１１２とCF層１１３との配置関係─
図３（ｂ）は、実施の形態１のCFにおけるBM１１２とCF層１１３との配置関係を模式的に示す図である。図３（ｂ）に示すように、Ｘ軸方向に隣り合う３つのCF層１１３（Ｒ）、（Ｇ）、（Ｂ）を１単位とし、これが行列状に複数形成されている。また、CF層１１３（Ｒ）及びCF層１１３（Ｂ）がそれぞれ、互いの方向に延設している。そのため、CF層１１３（Ｒ）及びCF層１１３（Ｂ）のＸ軸方向の幅が、CF層１１３（Ｇ）のＸ軸方向の幅に比べて、広くなっている。
【００８１】
BM１１２とCF層１１３との配置関係について、図４を用いて、より詳細に説明する。
【００８２】
図４（ａ）は、実施の形態１のCF１２の構成を示す部分断面図（図３のＡ−Ａ’断面）であり、図４（ｂ）は、実施の形態１のCF１２の構成を示す部分断面図（図３のＢ−Ｂ’断面）である。図４（ａ）に示すように、各CF層１１３（Ｒ）、（Ｇ）、（Ｂ）は、両側のBM１１２の端部上面に一部が乗り上げた状態で形成されている。ここで、CF層１１３（Ｒ）及びCF層１１３（Ｂ）に着目すると、CF層１１３（Ｒ）における、画素間BM１１２上面に形成された部分がCF層１１３（Ｂ）側に、CF層１１３（Ｂ）における、画素間BM１１２上面に形成された部分がCF層１１３（Ｒ）側にそれぞれ延設しており、かつ、それらが重畳している。
【００８３】
そのため、CF１２全体として見た場合に、この重畳している部分（画素間に対応する部分）が凸部となり、画素内に対応する部分に形成された各CF層１１３（Ｒ）、（Ｇ）、（Ｂ）が全体として凹部となっている。
【００８４】
また、本実施の形態のCF１２では、画素間BM１１２の中央部において、当該画素間BM１１２上面に形成されたCF層１１３（Ｒ）及びCF層１１３（Ｂ）の部分同士が重畳している。
【００８５】
ここで、各CF層１１３（Ｒ）、（Ｇ）、（Ｂ）の膜厚ｔｈ１は共通しており、例えば１〜１．８μｍである。BM１１２上面の凸部の膜厚（CF層が重畳している部分における、最も厚い部分の膜厚）ｔｈ２は、２〜３．６μｍである。また、BM１１２の膜厚は、例えば、１〜１．２μｍである。
【００８６】
このように、実施の形態１のCF１２では、画素間BM１１２上面に凹部が存在しない構成となっている。
【００８７】
また、図４（ｂ）に示すように、CF層１１３ｂ（Ｂ）の一端である、CF層１１３ｃ（Ｂ）側のBM１１２上面に形成された部分が、CF層１１３ｃ（Ｂ）側に延設している。このため、当該部分が、CF層１１３ｂ（Ｂ）の他端である、CF層１１３ａ（Ｂ）側のBM１１２上面に形成された部分より長くなっている。
【００８８】
その結果、BM１１２上面に形成された、隣接するCF層１１３ｂ（Ｂ）、１１３ｃ（Ｂ）の部分同士の間隔ｌ２は、後述する比較用のCFにおける間隔ｌ５（図６（ｃ）参照）（すなわち、CF層１１３ｃ（Ｂ）側に延設しない場合）と比較し、狭くなっている。間隔ｌ２は、図４（ａ）に示す間隔ｌ１（CF層１１３（Ｒ）における、サブピクセル間BM１１２上面に形成された部分と、隣接するCF層１１３（Ｇ）における、当該サブピクセル間BM１１２上面に形成された部分との間隔）と同一、または所定の近似値の範囲内であることが好ましい。所定の近似値の範囲内とは、間隔ｌ１に対して例えば０．５〜１．５倍の範囲内である。間隔ｌ１は、例えば１０μｍである。その場合には、間隔ｌ２は、５〜１５μｍであることが望ましい。
【００８９】
なお、ここでは図示しないが、CF層１１３（Ｒ）及びCF層１１３（Ｇ）についても、図４（ｂ）で示したものと同様の構成となっている。
【００９０】
続いて、有機EL表示パネル１０における各部の材料等について詳細に説明する。
＜各部構成＞
TFT基板１０１は、例えば、無アルカリガラス、ソーダガラス、無蛍光ガラス、燐酸系ガラス、硼酸系ガラス、石英、アクリル系樹脂、スチレン系樹脂、ポリカーボネート系樹脂、エポキシ系樹脂、ポリエチレン、ポリエステル、シリコーン系樹脂、又はアルミナ等の絶縁性材料の基板本体上に、TFT、配線部材、および前記TFTを被覆するパッシベーション膜など（図示せず）を形成した構成である。また、前記基板本体は有機樹脂フィルムであってもかまわない。
【００９１】
層間絶縁膜１０２は、TFT基板１０１の表面段差を平坦に調整するために設けられ、ポリイミド系樹脂またはアクリル系樹脂等の絶縁材料で構成されている。
【００９２】
陽極１０３ａ及び補助電極１０３ｂは、Ａｌ（アルミニウム）、あるいはアルミニウム合金で形成されている。なお、陽極１０３は、例えば、Ａｇ（銀）、銀とパラジウムと銅との合金、銀とルビジウムと金との合金、ＭｏＣｒ（モリブデンとクロムの合金）、ＮｉＣｒ（ニッケルとクロムの合金）等で形成されていても良い。本実施の形態１に係る有機EL表示パネル１０はトップエミッション型であるので、陽極１０３は、光反射性の材料で形成されていることが好ましい。
【００９３】
バンク１０４は、樹脂等の有機材料で形成されており絶縁性を有する。有機材料の例として、アクリル系樹脂、ポリイミド系樹脂、ノボラック型フェノール樹脂等が挙げられる。バンク１０４は、有機溶剤耐性を有することが好ましい。さらに、バンク１０４はエッチング処理、ベーク処理等がされることがあるので、それらの処理に対して過度に変形、変質などをしないような耐性の高い材料で形成されることが好ましい。
【００９４】
有機発光層１０５は、例えば、特開平５−１６３４８８号公報に記載のオキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、シアニン化合物、アクリジン化合物、８−ヒドロキシキノリン化合物の金属錯体、２−ビピリジン化合物の金属錯体、シッフ塩とＩＩＩ族金属との錯体、オキシン金属錯体、希土類錯体等の蛍光物質で形成されることが好ましい。
【００９５】
陰極１０６は、例えば、ＩＴＯ（酸化インジウムスズ）やＩＺＯ（酸化インジウム亜鉛）等で形成される。有機EL表示パネル１０はトップエミッション型であるので、陰極１０６は、光透過性の材料で形成されることが好ましい。
【００９６】
封止層１０７は、有機発光層１０５等が水分に晒されたり、空気に晒されたりすることを抑制する機能を有し、例えば、ＳｉＯ（酸化シリコン），ＳｉＮ（窒化シリコン）、ＳｉＯＮ（酸窒化シリコン）、ＳｉＣ（炭化ケイ素），ＳｉＯＣ（炭素含有酸化シリコン），ＡｌＮ（窒化アルミニウム），Ａｌ２Ｏ３（酸化アルミニウム）等の材料で形成される。有機EL表示パネル１０はトップエミッション型であるので、封止層１０７は、光透過性の材料で形成されることが好ましい。
【００９７】
CFの基板本体１１１は、有機EL表示パネル1０における前面基板であり、TFT基板１０１における基板本体と同様の材料で構成することができる。但し、有機EL表示パネル1０をトップエミッション型にするため、良好な透明性を持つことが要求される。
【００９８】
BM１１２は、有機EL表示パネル１０の表示面への外光の照り返しや外光の入射を防止し、表示コントラストを向上させる目的で設けられる黒色層である。例えば光吸収性及び遮光性に優れる黒色顔料を含む紫外線硬化樹脂材料で構成される。
【００９９】
CF層１１３（Ｒ）、（Ｇ）、（Ｂ）は、赤色、緑色、青色に対応した各々の波長域の可視光を透過する、公知の樹脂材料で構成されている。
【０１００】
樹脂封止層１２１は、外部からの水分やガスの侵入を防止する目的で配設され、各種透明樹脂材料（エポキシ系樹脂、アクリル系樹脂、シリコーン系樹脂等）で構成される。樹脂材料の粘度は、樹脂材料の拡がり具合と密着性とを考慮し設定される必要があり、例えば、５００ｍＰａ・ｓである。
【０１０１】
＜製造方法＞
続いて、CF１２の製造工程を例示する。図５は、CF１２の製造工程の一例を示す図である。まず、紫外線硬化樹脂（例えば紫外線硬化アクリル樹脂）材料を主成分とし、これに黒色顔料を添加してなるBM材料を溶媒に分散させ、BMペーストを調整する。これを基板本体１１１の一方の面に塗布する（図５（ａ））。
【０１０２】
塗布したBMペーストを乾燥し、溶媒をある程度揮発させて形態を保持できる程度になったら、EL基板１１側に形成されるバンク１０４位置に対応するように所定形状の開口部を持つパターンマスクを重ねる（図５（ｂ））。そして、重ねたパターンマスクの上から紫外線照射を行う。
【０１０３】
その後、塗布・溶媒除去したBMペーストを焼成し、パターンマスク及び未硬化のBMペーストを除去して現像し、キュアすると、図５（ｃ）に示すように、バンク１０４の位置に合わせたBM１１２が完成する。
【０１０４】
次に、BM１１２を形成した基板表面に、紫外線硬化樹脂成分を主成分とするCF層１１３（Ｒ）の材料を溶媒に分散させ、ペースト（Ｒ）を塗布する。溶媒を一定除去した後、所定のパターンマスクを載置し、紫外線照射を行う。
【０１０５】
その後、キュアを行い、パターンマスク及び未硬化のペースト（Ｒ）を除去して現像すると、図５（ｄ）に示すように、CF層１１３（Ｒ）が形成される。
【０１０６】
CF層１１３（Ｒ）は、BM１１２の形状に沿って形成されており、両側のBM１１２の端部上面に一部が乗り上げた状態となっている。また、CF層１１３（Ｒ）における、画素間BM１１２上面に形成された部分が、サブピクセル間BM１１２上面に形成された部分より長くなっている。
【０１０７】
上記CF層１１３（Ｒ）形成工程を各色のCF材料について同様に繰り返すことで、CF層１１３（Ｇ）、（Ｂ）を形成する。これにより、各有機発光層１０５の位置に合わせてCF層１１３（Ｇ）、（Ｂ）が形成される（図５（ｅ）、（ｆ））。
【０１０８】
CF層１１３（Ｇ）、（Ｂ）も、CF層１１３（Ｒ）と同様、BM１１２の形状に沿って形成されており、両側のBM１１２の端部上面に一部が乗り上げた状態となっている。ただし、CF層１１３（Ｂ）における、画素間BM１１２上面に形成された部分が、サブピクセル間BM１１２上面に形成された部分より長くなっており、かつ、CF層１１３（Ｒ）における、画素間BM１１２上面に形成された部分に重畳している。
【０１０９】
また、CF層１１３（Ｇ）においては、当該CF層の両側のBM１１２上面に形成された部分はどちらも延設されていない。
【０１１０】
以上の工程を経ることで、本実施の形態のCF１２が完成する。
【０１１１】
この後の工程について簡単に説明すると、完成したCF１２の外周部分に、所定の工程を経て完成したEL基板１１と当該CF１２とを封止するためのシール材（ＤＡＭ）のペーストを塗布し、さらに、CF１２の外周部分を除く部分に樹脂封止用の樹脂材料（ＦＩＬＬ）を、所定の間隔を空けて滴下していく。滴下が終了すると、その後、真空状態においてEL基板１１とCF１２とを貼り合わせた後、焼成して封止工程を完了すると、有機EL表示パネル１０が完成する。
【０１１２】
＜本実施の形態のCFと比較用のCFとの比較＞
続いて、本実施の形態におけるCF１２と比較用のCFとで、樹脂の拡がり具合にどのような違いがあるかについて説明する。ここで、比較用のCFとして、画素間BM１１２上に形成されたCF層の部分を延設していないものを用いる。以下、比較用のCFについて説明する。
【０１１３】
（比較用のCFにおけるBM２１２とCF層２１３との配置関係）
比較用のCFにおけるBMの配置位置に関しては、図３（ａ）に示したものと同様である。図６（ａ）は、比較用のCFのBMとCF層との配置関係を模式的に示す図である。図６（ａ）に示すように、Ｘ軸方向に隣り合う３つのCF層２１３（Ｒ）、（Ｇ）、（Ｂ）を１単位とし、これが行列状に複数形成されている。この点については、図３（ｂ）で示したものと同様である。ただし、比較用のCF では、CF層２１３（Ｒ）、（Ｇ）、（Ｂ）の各々のＸ軸方向及びＹ軸方向の幅は、同一である。
【０１１４】
BM２１２とCF層２１３との配置関係について、図６（ｂ）及び図６（ｃ）を用いて、より詳細に説明する。
【０１１５】
図６（ｂ）は、比較用のCFの構成を示す部分断面図（図６（ａ）のＣ−Ｃ’断面）であり、図６（ｃ）は、比較用のCFの構成を示す部分断面図（図６（ａ）のＤ−Ｄ’断面）である。図６（ｂ）に示すように、各CF層２１３（Ｒ）、（Ｇ）、（Ｂ）は、両側のBM２１２の端部上面に一部が乗り上げた状態で形成されている。この点については、実施の形態１のCF１２と同様である。ただし、CF層２１３（Ｒ）に着目すると、CF層２１３（Ｒ）における、画素間BM上面に形成された部分が、隣接するCF層２１３（Ｂ）側に延設されていない。続いてCF層２１３（Ｂ）に着目すると、CF層２１３（Ｒ）と同様、CF層２１３（Ｂ）における、画素間BM上面に形成された部分が、隣接するCF層２１３（Ｒ）側に延設されていない。すなわち、CF層２１３（Ｒ）及びCF層２１３（Ｂ）における、画素間BM上面に形成された部分とサブピクセル間BM上面に形成された部分の幅は、同一である。
【０１１６】
その結果、画素間BM２１２上面に形成されたCF層２１３（Ｒ）の部分と当該画素間BM上面に形成されたCF層２１３（Ｂ）の部分との間隔ｌ３は、サブピクセル間BM上面に形成されたCF層２１３（Ｒ）の部分と当該サブピクセル間BM上面に形成された、隣接するCF層２１３（Ｇ）の部分との間隔ｌ４に比べて、広くなっている。間隔ｌ４が、例えば１０μｍである場合には、間隔ｌ３は例えば４０μｍである。
【０１１７】
また、図６（ｃ）に示すように、CF層２１３ｂ（Ｂ）の一端である、CF層２１３ｃ（Ｂ）側のBM２１２上面に形成された部分も、当該CF層２１３ｃ（Ｂ）側に延設されていない。そのため、BM２１２上面に形成された、隣接するCF層２１３ｂ（Ｂ）、２１３ｃ（Ｂ）の部分同士の間隔ｌ５も、間隔ｌ４に比べて広くなっている。間隔ｌ４が、例えば１０μｍである場合には、間隔ｌ５は例えば４０μｍである。
【０１１８】
なお、ここでは図示しないが、CF層２１３（Ｒ）及びCF層２１３（Ｇ）についても、図６（ｃ）で示したものと同様の構成となっている。
【０１１９】
このように、比較用のCFでは、Ｘ軸方向及びＹ軸方向ともに、画素間BM２１２上において幅広の凹部が形成されている。
【０１２０】
（比較用のCFにおける樹脂の拡がり具合）
図７（ａ）は、比較用のCFに樹脂２２１１を複数滴、滴下した状態を示す模式図及び比較用のCFでの樹脂の拡がり具合を示す模式図である。図７（ｂ）は、樹脂２２１１が滴下された状態における、比較用のCFの構成を示す模式図（図７（ａ）のＥ−Ｅ’断面）である。
【０１２１】
図７（ａ）上図に示すように、CF上には、樹脂２２１１が所定間隔を空けて複数滴、滴下される。樹脂２２１１が滴下された後、CF上では樹脂が拡がり始めるが、図７（ａ）下図、及び図７（ｂ）に示すように、樹脂２２１１は、CF層上ではなく、画素間BM１１２上から拡がり始める。これは、CFが凹凸形状を有しており、CF層上面に比べBM上面が低い位置にあるため、より低い位置にあるBM上面が、樹脂が拡がる際の通路となるからである。なお、サブピクセル間BM上面もCF層上面に比べ低い位置にあるが、サブピクセル間BM上面においては、隣接するCF層の間隔が十分に狭い。そのため、表面張力の影響により、樹脂が拡がらないと考えられる。
【０１２２】
このように、比較用のCFでは、画素間BM１１２上面に樹脂が真っ先に拡がるため、CF層上に樹脂が拡がっていない領域が存在する。このため、CFとEL基板とを貼り合わせて構成される有機EL表示パネル１０において、有機発光層に相当する領域では樹脂が充填されていない未充填部分が生じる。
【０１２３】
図８は、比較用のCFを用いた有機EL表示パネル１０００の構成を模式的に示す部分断面端面図である。図８において白塗り領域は、樹脂が充填されていない未充填領域を示す。図８に示すように、比較用のCFを用いた有機EL表示パネル１０００では、CFとEL基板とを貼り合わせる際の圧力により、有機発光層側に樹脂が一部拡がるものの、未充填部分を排除するには至っていない。
【０１２４】
したがって、画素間BMに対応する領域では、樹脂２２１が充填されているものの、有機発光層に相当する領域では、未充填領域が生じている。
【０１２５】
なお、ここでは、Ｙ軸方向への拡がりについて説明したが、Ｘ軸方向への拡がりについても幅広の凹が存在するため、同様のことが言える。
【０１２６】
（本実施の形態のCF１２における樹脂の拡がり具合）
続いて、本実施の形態のCF１２に樹脂を滴下した場合の拡がり具合について説明する。図９（ａ）は、実施の形態１のCFに樹脂を滴下した状態を示す模式図及び実施の形態１のCFでの樹脂の拡がり具合を示す模式図である。図９（ｂ）は、樹脂が滴下された状態における、実施の形態１のCF１２の構成を示す模式図（図９（ａ）のＦ−Ｆ’断面）である。
【０１２７】
本実施の形態のCF１２では、CF１２全体として見た場合に、画素間BM上面に凸部が形成され、画素内に対応する部分に形成された各CF層１１３（Ｒ）、（Ｇ）、（Ｂ）全体として凹部が形成されている。
【０１２８】
そのため、BM１１２と各CF層とで段差が生じているものの、画素間BM上面には幅広の凹部は存在していない。
【０１２９】
比較用のCFでの樹脂の拡がり方から明らかなように、樹脂は幅広の凹部から拡がっていく。実施の形態１のCF１２では、画素内に対応する部分に形成された各CF層１１３（Ｒ）、（Ｇ）、（Ｂ）が、全体として幅広の凹部となるので、比較用のCFとは逆に、図９（ａ）下図に示すように、樹脂１２１１は、各CF層１１３（Ｒ）、（Ｇ）、（Ｂ）上から真っ先に拡がっていく。
【０１３０】
したがって、画素間BM上面の凹部にのみ樹脂が多量に拡がるということを抑制することができる。
【０１３１】
その結果、CFとEL基板とを貼り合わせた際には、図２に示したように、有機発光層に相当する領域に樹脂が充填される。
【０１３２】
また、本実施の形態のCF１２では、画素間BM１１２の中央部において、当該画素間BM１１２上面に形成されたCF層１１３（Ｒ）及びCF層１１３（Ｂ）の部分同士が重畳している。このため、図９（ｂ）に示すように、隣接する画素に対応する各領域に樹脂が均等に拡がり易くなるので、各領域で樹脂の充填度合いに差が生じ難くなる。また、各領域に樹脂が均等に拡がり易くなることで、何れの領域においても樹脂の未充填部分を低減することができる。
【０１３３】
なお、ここでは、Ｙ軸方向への拡がりについて説明したが、Ｘ軸方向への拡がりについては、図１０を用いて説明する。図１０（ａ）は、実施の形態１のCF１２での樹脂の拡がり具合を示す模式図であり（図９（ａ）の領域Ａ）、図１０（ｂ）は、樹脂が滴下された状態における、実施の形態１のCFの構成を示す模式図（図９（ａ）のＧ−Ｇ’断面）である。図４（ａ）、（ｂ）に示したように、画素間BM１１２上面における間隔ｌ２は、サブピクセル間BM１１２における間隔ｌ１と同一または所定の近似値の範囲内である。そのため、BM１１２と各CF層１１３（Ｒ）、（Ｇ）、（Ｂ）とで段差が生じているものの、画素間BM１１２上面には幅広の凹部は存在しない。よって、画素間BM上面の凹部に樹脂が真っ先に拡がっていくのではなく、図１０（ａ）、（ｂ）に示すように、樹脂はCF１２上を同心円状に拡がっていく。
【０１３４】
したがって、Ｘ軸方向への拡がりに関しても、画素間BM上面の凹部にのみ樹脂が多量に拡がるということを抑制することができる。
【０１３５】
以上のように本実施の形態によれば、CF層１１３（Ｂ）における、画素間BM１１２の上面に形成された部分が、隣接するCF層１１３（Ｒ）側に延設され、かつ、CF層１１３（Ｒ）における、画素間BM１１２の上面に形成された部分に重畳している。
【０１３６】
このため、画素間BM１１２の幅が、サブピクセル間BM１１２の幅より広くなっているものの、画素間BM１１２上には、樹脂が拡がる際の通路となり得る幅広の凹部は存在しない。
【０１３７】
画素間BM１１２上には、CF層１１３（Ｒ）、（Ｇ）が重畳されているため、CF１２全体としてみた場合には、逆に、凸部が形成されることになる。そして、この凸部に対して、画素に対応する領域に形成された各CF層１１３（Ｒ）、（Ｇ）、（Ｂ）全体として凹部が形成されている。
【０１３８】
このことは、各CF層１１３（Ｒ）、（Ｇ）、（Ｂ）全体で、樹脂が拡がる際の通路となる凹部を形成していることを意味するので、CF１２に樹脂を滴下した場合に、画素間BM１１２上面の凸部に樹脂が拡がりづらくなる一方で、凹部となる各CF層１１３（Ｒ）、（Ｇ）、（Ｂ）上には樹脂が拡がり易くなる。
【０１３９】
CF１２に樹脂を滴下した際に各CF層１１３上に樹脂が拡がりやすくなるので、CF１２とEL基板１１とを貼り合わせた際の、すなわち、有機EL表示パネル１０における、有機発光層に相当する領域での樹脂の未充填部分を低減することができる。
【０１４０】
また、本実施の形態の有機EL表示パネル１０では、別途特別な材料を用いて画素間BM１１２上に凸部を形成するのではなく、CF層という既存材料を延設させることにより画素間BM１１２上に凸部を形成するので、簡易な構成により未充填部分を低減することができる。
【０１４１】
［変形例１−１］
続いて、CFにおける各CF層をストライプ状に形成した一変形例について説明する。図１１は、変形例１−１におけるBMとCF層との配置関係を模式的に示す図である。図１１に示すように、CF層１１３（Ｒ）及びCF層１１３（Ｂ）がそれぞれ、互いの方向に延設している。この点においては、図３（ｂ）で示したCF１２と共通している。ただし、変形例１−１のCF１２では、各CF層１１３（Ｒ）、（Ｇ）、（Ｂ）がストライプ状に形成されている。すなわち、Ｙ軸方向においては、各CF層１１３（Ｒ）、（Ｇ）、（Ｂ）は、サブピクセルに相当する領域毎にパターニングされるのではなく、連続して形成されている。
【０１４２】
これにより、Y軸方向においては、BM１１２上面における凹部が存在しないため、各CF層１１３（Ｒ）、（Ｇ）、（Ｂ）上への樹脂の拡がりをより一層促進させることができる。
【０１４３】
なお、BM１１２の配置位置に関しては図３（ａ）で示したものと同様である。
【０１４４】
［実施の形態２］
本実施の形態では、BMが形成されず、R,G,Bに対応する各CF層のみが形成されたCFについて説明する。
＜有機EL表示パネル１０の構成＞
（有機EL表示パネル１０の概略構成）
本実施の形態の有機EL表示パネル１０の構成について詳細に説明する。図１２は、実施の形態２の有機EL表示パネル１０の要部を模式的に示す部分断面図である。図１２に示すように、基板本体１１１の一方の面（EL基板１１に対向する対向面）で、かつ、有機発光層１０５（Ｒ）、（Ｇ）、（Ｂ）に対応する各領域に、対応する色のCF層１１３（Ｒ）、（Ｇ）、（Ｂ）がそれぞれ形成されている。
【０１４５】
EL基板１１については、実施の形態１と同様であるので、ここではその説明を省略する。
【０１４６】
続いて、CF１２の構成について詳細に説明する。図１３（ａ）は、実施の形態２のBMとCF層との配置関係を模式的に示す図である。図１３（ａ）に示すように、CF層１１３（Ｒ）及びCF層１１３（Ｂ）がそれぞれ、互いの方向に延設している。そのため、CF層１１３（Ｒ）及びCF層１１３（Ｂ）のＸ軸方向の幅が、CF層１１３（Ｇ）のＸ軸方向の幅に比べて、広くなっている。
【０１４７】
BM１１２とCF層１１３との配置関係について、図１３（ｂ）、（ｃ）を用いて、より詳細に説明する。図１３（ｂ）は、実施の形態２のCFの構成を示す部分断面図（図１３（ａ）のＨ−Ｈ’断面）である。図１３（ｃ）は、実施の形態２のCFの構成を示す部分断面図（図１３（ａ）のＩ−Ｉ’断面）である。
【０１４８】
図１３（ｂ）において、CF層１１３（Ｒ）及びCF層１１３（Ｂ）に着目すると、CF層１１３（Ｒ）のCF層１１３（Ｂ）側の端部と、CF層１１３（Ｂ）のCF層１１３（Ｒ）側の端部とが重畳している。
【０１４９】
そのため、CF１２全体として見た場合に、この重畳している部分（画素間に対応する部分）が凸部となり、画素内に対応する部分に形成された各CF層１１３（Ｒ）、（Ｇ）、（Ｂ）が全体として凹部となる。
【０１５０】
また、図１３（ａ）及び図１３（ｃ）に示すように、CF層１１３（Ｂ）は、Ｙ軸方向に延設している。隣接するCF層１１３（Ｂ）の間隔ｌ７は、図１３（ｂ）に示した間隔ｌ６と同一、または所定の近似値の範囲内であることが好ましい。所定の近似値の範囲内については、実施の形態１で述べた通りである。
【０１５１】
なお、ここでは図示しないが、CF層１１３（Ｒ）及びCF層１１３（Ｇ）についても、図１３（ｃ）で示したものと同様の構成となっている。
【０１５２】
以上のように、CF層１１３（Ｒ）、（Ｇ）、（Ｂ）のみが形成されたCFでは、隣接するCF層間の領域が、CF全体としてみた場合に凹部となるが、上述したように、CF層１１３（Ｒ）及びCF層１１３（Ｇ）をそれぞれ互いの方向に延設し、かつ、それらを重畳させることにより、隣接するCF層間の領域に、CF全体としてみた場合に凸部を形成することができる。そして、この凸部に対して、CF層１１３（Ｒ）、（Ｇ）、（Ｂ）全体として凹部が形成されるので、CFに樹脂を滴下した場合に、隣接するCF層間の領域における凸部に樹脂が拡がりづらくなる一方で、凹部となる各CF層１１３（Ｒ）、（Ｇ）、（Ｂ）上には樹脂が拡がり易くなる。
【０１５３】
CFに樹脂を滴下した際に各CF層１１３（Ｒ）、（Ｇ）、（Ｂ）上に樹脂が拡がりやすくなるので、CF１２とEL基板１１とを貼り合わせた際の、すなわち、有機EL表示パネル１０における、有機発光層に相当する領域での樹脂の未充填部分を低減することができる。
【０１５４】
また、本実施の形態のCF１２において、各CF層１１３（Ｒ）、（Ｇ）、（Ｂ）をＹ軸方向に延設することにより、隣接するCF層間の領域における凹部を狭めることができる。その結果、CF層上への樹脂の拡がりを促進することができる。
【０１５５】
さらに、本実施の形態の有機EL表示パネル１０では、別途特別な材料を用いて隣接するCF層間の領域に凸部を形成するのではなく、CF層という既存材料を幅広に形成することにより隣接するCF層間の領域に凸部を形成するので、簡易な構成により未充填部分を低減することができる。
【０１５６】
なお、各CF層１１３（Ｒ）、（Ｇ）、（Ｂ）が、ストライプ状に形成されていてもよい。
（補足）
以上、本発明に係る有機EL表示パネル１０について、実施の形態に基づいて説明したが、本発明は上記実施の形態に限られないことは勿論である。
（１）上記実施の形態におけるEL基板１１において、陽極１０３ａと有機発光層１０５との間には、必要に応じて、ホール注入層、ホール輸送層またはホール注入兼輸送層が介挿されていてもよいし、陰極１０６と有機発光層１０５との間には、必要に応じて、電子注入層、電子輸送層または電子注入兼輸送層が介挿されていてもよい。
（２）上記実施の形態では、有機EL表示パネル１０のCF１２を例に挙げて説明したが、このCF１２を無機EL表示パネルに適用してもよい。
（３）上記実施の形態では、第１領域１１４、第２領域１１５、及び第３領域１１６の各々を区画する隔壁として、BM１１２を例に挙げて説明したが、各領域を区画する隔壁として機能すればBM１１２に限らない。例えば、黒色顔料以外の色の顔料を含む紫外線硬化樹脂材料からなる隔壁であってもよい。
（４）上記実施の形態では、画素間BM１１２の中央部において隣接するCF層の端部同士が重畳している構成としたが、重畳位置は中央部に限らない。画素間BM１１２上面で隣接するCF層の端部同士が重畳していればよい。
（５）上記実施の形態では、画素の端部に対応する領域にCF層１１３（Ｂ）とCF層１１３（Ｒ）とが形成されていたが、配置関係はこれに限定されず、例えば、画素の端部に対応する領域にCF層１１３（Ｇ）が形成されていてもよい。
（６）上記実施の形態では、図４（ｂ）に示すように、CF層１１３ｂ（Ｂ）の一端である、CF層１１３ｃ（Ｂ）側のBM１１２上面に形成された部分が、CF層１１３ｃ（Ｂ）側に延設し、当該部分が、CF層１１３ｂ（Ｂ）の他端である、CF層１１３ａ（Ｂ）側のBM１１２上面に形成された部分より長くなっているとしたが、これに限らず、間隔ｌ２が上記所定の近似値の範囲内になっていれば次のような構成でもよい。例えば、BM１１２上面に形成された、隣接するCF層１１３の部分同士がそれぞれ、互いの方向に延設しているとしてもよい。
（７）上記各実施の形態では、表示装置１の外観を示さなかったが、例えば、図１４に示すような外観を有するものとすることができる。
（８）上記図７（ａ）に比較用のCFに樹脂を滴下した際の樹脂の拡がり具合を示す模式図を示したが、図１５は、実際に比較用のCFに樹脂を滴下した際の樹脂の拡がり具合を示す写真である。図１５からも、樹脂が、CF層上ではなく、画素間BM上から拡がり始めることが確認できる。
（９）上記実施の形態及び上記各変形例をそれぞれ組み合わせるとしてもよい。
【産業上の利用可能性】
【０１５７】
本発明は、例えば、家庭用もしくは公共施設、あるいは業務用の各種表示装置、テレビジョン装置、携帯型電子機器用ディスプレイ等に利用可能である。
【符号の説明】
【０１５８】
１          表示装置
１０        有機EL表示パネル
２０        駆動制御部
２１−２４  駆動回路
２５        制御回路
１０１      TFT基板
１０２      層間絶縁膜
１０３ａ    陽極
１０３ｂ    補助電極
１０４      バンク
１０５      有機発光層
１０６      陰極
１０７      封止層
１１１      基板
１１２      ブラックマトリクス
１１３      CF層
１２１      樹脂封止層
【図１】
2011158288.tif 000003
【図２】
2011158288.tif 000004
【図３】
2011158288.tif 000005
【図４】
2011158288.tif 000006
【図５】
2011158288.tif 000007
【図６】
2011158288.tif 000008
【図７】
2011158288.tif 000009
【図８】
2011158288.tif 000010
【図９】
2011158288.tif 000011
【図１０】
2011158288.tif 000012
【図１１】
2011158288.tif 000013
【図１２】
2011158288.tif 000014
【図１３】
2011158288.tif 000015
【図１４】
2011158288.tif 000016
【図１５】
2011158288.tif 000017
【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【請求項１６】
（削除）
【請求項１７】
（削除）
【請求項１８】
（削除）
【請求項１９】
（削除）
【請求項２０】
赤色光を出力する第１発光部、緑色光を出力する第２発光部、及び青色光を出力する第３発光部を一単位とする画素が行列状に複数配列されたＥＬ基板と、
前記ＥＬ基板の光の出力側に設けられたカラーフィルターのベースと、
前記カラーフィルターのベースの前記ＥＬ基板側に形成され、前記第１発光部に対応する第１領域、前記第２発光部に対応する第２領域、及び前記第３発光部に対応する第３領域の各々を区画するカラーフィルターの隔壁と、
前記第１領域を区画する両側の隔壁の上面から前記両側の隔壁の側面及び前記両側の隔壁によって区画された第１領域に対応するベースの表面、に沿った形状に窪んで形成され、所望の赤色光を透過する第１カラーフィルター層と、
前記第２領域を区画する両側の隔壁の上面から前記両側の隔壁の側面及び前記両側の隔壁によって区画された第２領域に対応するベースの表面、に沿った形状に窪んで形成され、所望の緑色光を透過する第２カラーフィルター層と、
前記第３領域を区画する両側の隔壁の上面から前記両側の隔壁の側面及び前記両側の隔壁によって区画された第３領域に対応するベースの表面、に沿った形状に窪んで形成され、所望の青色光を透過する第３カラーフィルター層と、
前記第１カラーフィルター層、前記第２カラーフィルター層、及び前記第３カラーフィルター層と、前記ＥＬ基板との間に充填された樹脂層と、を具備し、
隣接する第１画素と第２画素との間に対応する前記カラーフィルターの隔壁は共通しており、
共通している隔壁の幅は、各画素に対応する前記第１領域、前記第２領域、及び前記第３領域間の各々の前記カラーフィルターの隔壁の幅より広く、
前記第１画素に対応する前記第１領域、前記第２領域、及び前記第３領域の中で端部となる領域に形成されたカラーフィルター層の、前記第２画素側の隔壁の上面に形成された第１部分が、前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳することで、
前記隣接する第１画素と第２画素との間の前記共通した隔壁上において、前記第１部分と前記第２部分とが重畳している
ＥＬ表示パネル。
【請求項２１】
前記第２画素に対応する前記第１領域、前記第２領域、及び前記第３領域の中で前記第１画素に隣接する領域に形成されたカラーフィルター層の、前記第１画素側の隔壁の上面に形成された第２部分は、前記第１画素側に延設されている
請求項２０記載のＥＬ表示パネル。
【請求項２２】
前記隣接する第１画素と第２画素との間に対応する前記カラーフィルターの隔壁の上面の中央部において、
前記第１画素に対応する前記第１領域、前記第２領域、及び前記第３領域の中で端部となる領域に形成されたカラーフィルター層の、前記第２画素側の隔壁の上面に形成された第１部分は、
前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳している
請求項２１記載のＥＬ表示パネル。
【請求項２３】
前記ＥＬ基板は、前記第１画素と前記第２画素との間に補助電極が配置され、
前記共通している隔壁は、前記補助電極と対向する位置に形成されている
請求項２０〜２２のいずれか１項に記載のＥＬ表示パネル。
【請求項２４】
前記樹脂は封止樹脂である、
請求項２０〜２３のいずれか１項に記載のＥＬ表示パネル。
【請求項２５】
前記第１画素に対応する前記第１領域、前記第２領域、及び前記第３領域の各領域に形成されたカラーフィルター層の、前記第２画素と交差する方向に隣接する第３画素側の隔壁の上面に形成された第３部分が、前記第３画素側に延設されることにより、
前記第１画素に対応する前記第１領域、前記第２領域、及び前記第３領域の各領域に形成されたカラーフィルター層の、前記第３画素側の隔壁の反対側の隔壁の上面に形成された部分より長くなっている
請求項２０〜２４のいずれか１項に記載のＥＬ表示パネル。
【請求項２６】
赤色光を出力する第１発光部、緑色光を出力する第２発光部、及び青色光を出力する第３発光部を一単位とする画素が行列状に複数配列されたＥＬ基板と、
前記ＥＬ基板の光の出力側に設けられたカラーフィルターのベースと、
前記第１発光部に対応するベースの表面の領域である第１領域に形成され、所望の赤色光を透過する第１カラーフィルター層と、
前記第２発光部に対応するベースの表面であって、第１カラーフィルター層と所定の間隔で離間した第２領域に形成され、所望の緑色光を透過する第２カラーフィルター層と、
前記第３発光部に対応するベースの表面であって、第２カラーフィルター層と、前記所定の間隔と同一、あるいは所定の近似値の範囲内で離間した第３領域に形成され、所望の青色光を透過する第３カラーフィルター層と、
前記第１カラーフィルター層、前記第２カラーフィルター層、及び前記第３カラーフィルター層と、前記ＥＬ基板との間に充填された樹脂層と、を具備し、
第１画素に対応する前記第１領域、前記第２領域、及び前記第３領域の中で端部となる領域に形成されたカラーフィルター層は、前記第１画素に隣接する第２画素側に延設され、かつ、前記端部となる領域に形成されたカラーフィルター層の、前記第２画素側の端部は、前記隣接する第１画素と第２画素との間において、前記第２画素に対応する前記第１領域、前記第２領域、及び前記第３領域の中で前記第１画素に隣接する領域に形成されたカラーフィルター層の、前記第１画素側の端部に重畳している
ＥＬ表示パネル。
【請求項２７】
前記第２画素に対応する前記第１領域、前記第２領域、及び前記第３領域の中で前記第１画素に隣接する領域に形成されたカラーフィルター層は、前記第１画素側に延設されている
請求項２６記載のＥＬ表示パネル。
【請求項２８】
前記隣接する第１画素と第２画素との間に対応する領域の中央部において、
前記第１画素に対応する前記第１領域、前記第２領域、及び前記第３領域の中で端部となる領域に形成されたカラーフィルター層の、前記第２画素側の端部は、前記第２画素に対応する前記第１領域、前記第２領域、及び前記第３領域の中で前記第１画素に隣接する領域に形成されたカラーフィルター層の、前記第１画素側の端部に重畳している
請求項２７記載のＥＬ表示パネル。
【請求項２９】
前記ＥＬ基板は、前記第１画素と前記第２画素との間に補助電極が配置されている、
請求項２６〜２８のいずれか１項に記載のＥＬ表示パネル。
【請求項３０】
前記樹脂は封止樹脂である、
請求項２６〜２９のいずれか１項に記載のＥＬ表示パネル。
【請求項３１】
前記第１画素に対応する前記第１領域、前記第２領域、及び前記第３領域の各領域に形成されたカラーフィルター層は、前記第２画素と交差する方向に隣接する第３画素側に延設されている
請求項２６〜３０のいずれか１項に記載のＥＬ表示パネル。
【請求項３２】
請求項２０〜３１のいずれか１項に記載のＥＬ表示パネルを備えた、
ＥＬ表示装置。
【請求項３３】
前記第１発光部、前記第２発光部、及び前記第３発光部の各々は、有機発光部である、
請求項２０〜３２のいずれか１項に記載のＥＬ表示パネル。
【請求項３４】
請求項３３に記載のＥＬ表示パネルを備えた、
有機ＥＬ表示装置。
【請求項３５】
赤色光を出力する第１発光部、緑色光を出力する第２発光部、及び青色光を出力する第３発光部を一単位とする画素が行列状に複数配列されたＥＬ基板を準備する第１工程と、
カラーフィルターのベースを準備する第２工程と、
前記ベース上であって、前記ベースの前記ＥＬ基板と対向させる側に、前記第１発光部に対応する第１領域、前記第２発光部に対応する第２領域、及び前記第３発光部に対応する第３領域の各々を区画するカラーフィルターの隔壁を形成する第３工程と、
前記第１領域を区画する両側の隔壁の上面から前記両側の隔壁の側面及び前記両側の隔壁によって区画された第１領域に対応するベースの表面、に沿った形状に窪んで、所望の赤色光を透過する第１カラーフィルター層を形成する第４工程と、
前記第２領域を区画する両側の隔壁の上面から前記両側の隔壁の側面及び前記両側の隔壁によって区画された第２領域に対応するベースの表面、に沿った形状に窪んで、所望の緑色光を透過する第２カラーフィルター層を形成する第５工程と、
前記第３領域を区画する両側の隔壁の上面から前記両側の隔壁の側面及び前記両側の隔壁によって区画された第３領域に対応するベースの表面、に沿った形状に窪んで、所望の青色光を透過する第３カラーフィルター層を形成する第６工程と、
前記第１カラーフィルター層、前記第２カラーフィルター層、及び前記第３カラーフィルター層と、前記ＥＬ基板との間に樹脂材料を充填する第７工程とを具備し、
隣接する第１画素と第２画素との間に対応する前記カラーフィルターの隔壁は共通しており、
共通している隔壁の幅は、各画素に対応する前記第１領域、前記第２領域、及び前記第３領域間の各々の前記カラーフィルターの隔壁の幅より広く、
前記第１画素に対応する前記第１領域、前記第２領域、及び前記第３領域の中で端部となる領域に形成されたカラーフィルター層の、前記第２画素側の隔壁の上面に形成された第１部分が、
前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳することで、
前記隣接する第１画素と第２画素との間の前記共通した隔壁上において、前記第１部分と前記第２部分とが重畳している
ＥＬ表示パネルの製造方法。
【請求項３６】
前記第２画素に対応する前記第１領域、前記第２領域、及び前記第３領域の中で前記第１画素に隣接する領域に形成されたカラーフィルター層の、前記第１画素側の隔壁の上面に形成された第２部分は、前記第１画素側に延設されている
請求項３５記載のＥＬ表示パネルの製造方法。
【請求項３７】
前記隣接する第１画素と第２画素との間に対応する前記カラーフィルターの隔壁の上面の中央部において、
前記第１画素に対応する前記第１領域、前記第２領域、及び前記第３領域の中で端部となる領域に形成されたカラーフィルター層の、前記第２画素側の隔壁の上面に形成された第１部分は、
前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳している
請求項３６記載のＥＬ表示パネルの製造方法。
【請求項３８】
前記第１画素に対応する前記第１領域、前記第２領域、及び前記第３領域の各領域に形成されたカラーフィルター層の、前記第２画素と交差する方向に隣接する第３画素側の隔壁の上面に形成された第３部分が、前記第３画素側に延設されることにより、
前記第１画素に対応する前記第１領域、前記第２領域、及び前記第３領域の各領域に形成されたカラーフィルター層の、前記第３画素側の隔壁の反対側の隔壁の上面に形成された部分より長くなっている
請求項３５〜３７のいずれか１項に記載のＥＬ表示パネルの製造方法。
【請求項３９】
赤色光を出力する第１発光部、緑色光を出力する第２発光部、及び青色光を出力する第３発光部を一単位とする画素が行列状に複数配列されたＥＬ基板を準備する第１工程と、
カラーフィルターのベースを準備する第２工程と、
前記第１発光部に対応するベースの表面の領域である第１領域に、所望の赤色光を透過する第１カラーフィルター層を形成する第３工程と、
前記第２発光部に対応するベースの表面であって、第１カラーフィルター層と所定の間隔で離間した第２領域に、所望の緑色光を透過する第２カラーフィルター層を形成する第４工程と、
前記第３発光部に対応するベースの表面であって、第２カラーフィルター層と、前記所定の間隔と同一、あるいは所定の近似値の範囲内で離間した第３領域に、所望の青色光を透過する第３カラーフィルター層を形成する第５工程と、
前記第１カラーフィルター層、前記第２カラーフィルター層、及び前記第３カラーフィルター層と、前記ＥＬ基板と、の間に樹脂材料を充填する第６工程とを具備し、
第１画素に対応する前記第１領域、前記第２領域、及び前記第３領域の中で端部となる領域に形成されたカラーフィルター層は、前記第１画素に隣接する第２画素側に延設され、かつ、前記端部となる領域に形成されたカラーフィルター層の、前記第２画素側の端部は、前記隣接する第１画素と第２画素との間において、前記第２画素に対応する前記第１領域、前記第２領域、及び前記第３領域の中で前記第１画素に隣接する領域に形成されたカラーフィルター層の、前記第１画素側の端部に重畳している
ＥＬ表示パネルの製造方法。
【請求項４０】
前記第２画素に対応する前記第１領域、前記第２領域、及び前記第３領域の中で前記第１画素に隣接する領域に形成されたカラーフィルター層は、前記第１画素側に延設されている
請求項３９記載のＥＬ表示パネル。
【請求項４１】
前記隣接する第１画素と第２画素との間に対応する領域の中央部において、
前記第１画素に対応する前記第１領域、前記第２領域、及び前記第３領域の中で端部となる領域に形成されたカラーフィルター層の、前記第２画素側の端部は、前記第２画素に対応する前記第１領域、前記第２領域、及び前記第３領域の中で前記第１画素に隣接する領域に形成されたカラーフィルター層の、前記第１画素側の端部に重畳している
請求項４０記載のＥＬ表示パネルの製造方法。
【請求項４２】
前記第１画素に対応する前記第１領域、前記第２領域、及び前記第３領域の各領域に形成されたカラーフィルター層は、前記第２画素と交差する方向に隣接する第３画素側に延設されている
請求項３９〜４１のいずれか１項に記載のＥＬ表示パネルの製造方法。
【手続補正２】
【補正対象書類名】明細書
【補正対象項目名】０００３
【補正方法】変更
【補正の内容】
【０００３】
によって区画された第１領域に対応するベースの表面、に沿った形状に窪んで形成され、所望の赤色光を透過する第１カラーフィルター層と、前記第２領域を区画する両側の隔壁の上面から前記両側の隔壁の側面及び前記両側の隔壁によって区画された第２領域に対応するベースの表面、に沿った形状に窪んで形成され、所望の緑色光を透過する第２カラーフィルター層と、前記第３領域を区画する両側の隔壁の上面から前記両側の隔壁の側面及び前記両側の隔壁によって区画された第３領域に対応するベースの表面、に沿った形状に窪んで形成され、所望の青色光を透過する第３カラーフィルター層と、前記第１カラーフィルター層、前記第２カラーフィルター層、及び前記第３カラーフィルター層と、前記ＥＬ基板との間に充填された樹脂層と、を具備し、隣接する第１画素と第２画素との間に対応する前記カラーフィルターの隔壁は共通しており、共通している隔壁の幅は、各画素に対応する前記第１領域、前記第２領域、及び前記第３領域間の各々の前記カラーフィルターの隔壁の幅より広く、前記第１画素に対応する前記第１領域、前記第２領域、及び前記第３領域の中で端部となる領域に形成されたカラーフィルター層の、前記第２画素側の隔壁の上面に形成された第１部分が、前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳することで、前記隣接する第１画素と第２画素との間の前記共通した隔壁上において、前記第１部分と前記第２部分とが重畳している構成とした。
発明の効果
［００１０］
発明者は、未充填部分が存在する原因としてＣＦの形状に着目した。ＣＦにおいて、各ＣＦ層は、当該ＣＦ層を規定している隔壁の端部上面に一部が乗り上げた状態で形成されているため、隔壁とＣＦ層とで段差が生じ、ＣＦの形状は凹凸形状になっている。より詳細には、ＣＦ層上面に比べ、隔壁上面が低くなっており、そのためにＣＦ全体として見た場合に、ＣＦ層が凸部になり、隔壁上面に形成された、隣接するＣＦ層の部分同士の隙間部分が凹部となっている。
［００１１］
また、ＥＬ表示パネルでは、陰極での電圧降下による輝度のばらつきを軽減
【手続補正３】
【補正対象書類名】明細書
【補正対象項目名】０００７
【補正方法】変更
【補正の内容】
【０００７】
られたカラーフィルターのベースと、前記カラーフィルターのベースの前記ＥＬ基板側に形成され、前記第１発光部に対応する第１領域、前記第２発光部に対応する第２領域、及び前記第３発光部に対応する第３領域の各々を区画するカラーフィルターの隔壁と、前記第１領域を区画する両側の隔壁の上面から前記両側の隔壁の側面及び前記両側の隔壁によって区画された第１領域に対応するベースの表面、に沿った形状に窪んで形成され、所望の赤色光を透過する第１カラーフィルター層と、前記第２領域を区画する両側の隔壁の上面から前記両側の隔壁の側面及び前記両側の隔壁によって区画された第２領域に対応するベースの表面、に沿った形状に窪んで形成され、所望の緑色光を透過する第２カラーフィルター層と、前記第３領域を区画する両側の隔壁の上面から前記両側の隔壁の側面及び前記両側の隔壁によって区画された第３領域に対応するベースの表面、に沿った形状に窪んで形成され、所望の青色光を透過する第３カラーフィルター層と、前記第１カラーフィルター層、前記第２カラーフィルター層、及び前記第３カラーフィルター層と、前記ＥＬ基板との間に充填された樹脂層と、を具備し、隣接する第１画素と第２画素との間に対応する前記カラーフィルターの隔壁は共通しており、共通している隔壁の幅は、各画素に対応する前記第１領域、前記第２領域、及び前記第３領域間の各々の前記カラーフィルターの隔壁の幅より広く、前記第１画素に対応する前記第１領域、前記第２領域、及び前記第３領域の中で端部となる領域に形成されたカラーフィルター層の、前記第２画素側の隔壁の上面に形成された第１部分が、前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳することで、前記隣接する第１画素と第２画素との間の前記共通した隔壁上において、前記第１部分と前記第２部分とが重畳している構成とした。
［００２１］
本発明の一態様に係るＥＬ表示パネルでは、前記第１画素に対応する前記第１領域、前記第２領域、及び前記第３領域の中で端部となる領域に形成されたＣＦ層の、前記第２画素側の隔壁の上面に形成された部分が、前記第２画素側に延設され、かつ、前記第２画素に対応する前記第１領域、前記第２領域
【手続補正４】
【補正対象書類名】明細書
【補正対象項目名】０００８
【補正方法】変更
【補正の内容】
【０００８】
、及び前記第３領域の中で前記第１画素に隣接する領域に形成されたＣＦ層の、前記第１画素側の隔壁の上面に形成された部分に重畳している。
［００２２］
このため、本発明の一態様に係るＥＬ表示パネルでは、第１画素と第２画素との間に対応する前記ＣＦの隔壁の幅が、各画素に対応する前記第１領域、前記第２領域、及び前記第３領域間の各々の前記ＣＦの隔壁の幅より広くなっているものの、画素間隔壁上には、樹脂が拡がる際の通路となり得る凹部は存在しない。
［００２３］
画素間隔壁上には、ＣＦ層が重畳されているため、ＣＦ全体としてみた場合には、逆に、凸部が形成されることになる。そして、この凸部に対して、画素に対応する領域に形成されたＲ，Ｇ，Ｂに対応する各ＣＦ層全体として凹部が形成されている。
［００２４］
つまり、Ｒ，Ｇ，Ｂに対応する各ＣＦ層全体で、樹脂が拡がる際の通路となる凹部を形成しているので、ＣＦに樹脂を滴下した場合に、画素間隔壁上面の凸部に樹脂が拡がりづらくなる一方で、凹部となる各ＣＦ層上には樹脂が拡がり易くなる。
［００２５］
ＣＦに樹脂を滴下した際に各ＣＦ層上に樹脂が拡がりやすくなるので、ＣＦとＥＬ基板とを貼り合わせた際の、すなわち、ＥＬ表示パネルにおける、発光層に相当する領域での樹脂の未充填部分を低減することができる。
［００２６］
また、本発明の一態様に係るＥＬ表示パネルでは、別途特別な材料を用いて画素間隔壁上に凸部を形成するのではなく、ＣＦ層という既存材料を延設させることにより画素間隔壁上に凸部を形成するので、簡易な構成により未充填部分を低減することができる。
［００２７］
ここで、本発明の別の態様として、前記第２画素に対応する前記第１領域、前記第２領域、及び前記第３領域の中で前記第１画素に隣接する領域に形成されたカラーフィルター層の、前記第１画素側の隔壁の上面に形成された第２部分は、前記第１画素側に延設されているとしてもよい。
［００２８］
ここで、本発明の別の態様として、前記隣接する第１画素と第２画素との間に対応する前記カラーフィルターの隔壁の上面の中央部において、前記第
【手続補正５】
【補正対象書類名】明細書
【補正対象項目名】０００９
【補正方法】変更
【補正の内容】
【０００９】
１画素に対応する前記第１領域、前記第２領域、及び前記第３領域の中で端部となる領域に形成されたカラーフィルター層の、前記第２画素側の隔壁の上面に形成された第１部分は、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳しているとしてもよい。
［００２９］
本態様のＥＬ表示パネルでは、前記隣接する第１画素と第２画素との間に対応する前記カラーフィルターの隔壁の上面の中央部において、隣接するＣＦ層の端部同士が重畳している。
［００３０］
このため、隣接する第１画素と第２画素に対応する各領域に樹脂が均等に拡がり易くなるので、各領域で樹脂の充填度合いに差が生じ難くなる。また、各領域に樹脂が均等に拡がり易くなることで、何れの領域においても樹脂の未充填部分を低減することができる。
［００３１］
ここで、本発明の別の態様として、前記第１画素に対応する前記第１領域、前記第２領域、及び前記第３領域の各領域に形成されたカラーフィルター層の、前記第２画素と交差する方向に隣接する第３画素側の隔壁の上面に形成された第３部分が、前記第３画素側に延設されることにより、前記第１画素に対応する前記第１領域、前記第２領域、及び前記第３領域の各領域に形成されたカラーフィルター層の、前記第３画素側の隔壁の反対側の隔壁の上面に形成された部分より長くなっているとしてもよい。
［００３２］
本態様のＥＬ表示パネルでは、前記第１画素に対応する前記第１領域、前記第２領域、及び前記第３領域の各領域に形成されたＣＦ層の、前記第３画素側の隔壁の上面に形成された部分が、前記第３画素側に延設される。これにより、前記第１画素に対応する前記第１領域、前記第２領域、及び前記第３領域の各領域に形成されたＣＦ層の、前記第３画素側の隔壁の上面に形成された部分と、前記第３画素に対応する前記第１領域、前記第２領域、及び前記第３領域の各領域に形成されたＣＦ層の、第１画素側の隔壁の上面に形成された部分との間隔を狭めることができる。
【手続補正６】
【補正対象書類名】明細書
【補正対象項目名】００１０
【補正方法】変更
【補正の内容】
【００１０】
［００３３］
このことは、樹脂が拡がる際の通路となる凹部の幅を狭めることを意味するので、ＣＦに樹脂を滴下した場合に、第１画素と第３画素との間に対応する画素間隔壁上に樹脂が拡がりづらくなる一方で、各ＣＦ層上には樹脂が拡がりやすくなる。
［００３４］
前記隣接する第１画素と第２画素との間に対応する前記カラーフィルターの隔壁上において、隣接するＣＦ層の端部同士が重畳しているだけでなく、前記第１画素に対応する前記第１領域、前記第２領域、及び前記第３領域の各領域に形成されたＣＦ層を第３画素側に延設させるので、ＥＬ表示パネルにおいて樹脂の未充填部分をより一層低減することができる。
［００３５］
ここで、本発明の別の態様として、赤色光を出力する第１発光部、緑色光を出力する第２発光部、及び青色光を出力する第３発光部を一単位とする画素が行列状に複数配列されたＥＬ基板と、前記ＥＬ基板の光の出力側に設けられたカラーフィルターのベースと、前記第１発光部に対応するベースの表面の領域である第１領域に形成され、所望の赤色光を透過する第１カラーフィルター層と、前記第２発光部に対応するベースの表面であって、第１カラーフィルター層と所定の間隔で離間した第２領域に形成され、所望の緑色光を透過する第２カラーフィルター層と、前記第３発光部に対応するベースの表面であって、第２カラーフィルター層と、前記所定の間隔と同一、あるいは所定の近似値の範囲内で離間した第３領域に形成され、所望の青色光を透過する第３カラーフィルター層と、前記第１カラーフィルター層、前記第２カラーフィルター層、及び前記第３カラーフィルター層と、前記ＥＬ基板との間に充填された樹脂層と、を具備し、第１画素に対応する前記第１領域、前記第２領域、及び前記第３領域の中で端部となる領域に形成されたカラーフィルター層は、前記第１画素に隣接する第２画素側に延設され、かつ、前記端部となる領域に形成されたカラーフィルター層の、前記第２画素側の端部は、前記隣接する第１画素と第２画素との間において、前記第２画素に対応する前記第１領域、前記第２領域、及び前記第３領域の中で前記第１画素に隣接する領域に形成されたカラーフィルター層の、前記第１画素側の端部に重畳している構成とした。
【手続補正７】
【補正対象書類名】明細書
【補正対象項目名】００１４
【補正方法】変更
【補正の内容】
【００１４】
、に沿った形状に窪んで、所望の赤色光を透過する第１カラーフィルター層を形成する第４工程と、前記第２領域を区画する両側の隔壁の上面から前記両側の隔壁の側面及び前記両側の隔壁によって区画された第２領域に対応するベースの表面、に沿った形状に窪んで、所望の緑色光を透過する第２カラーフィルター層を形成する第５工程と、前記第３領域を区画する両側の隔壁の上面から前記両側の隔壁の側面及び前記両側の隔壁によって区画された第３領域に対応するベースの表面、に沿った形状に窪んで、所望の青色光を透過する第３カラーフィルター層を形成する第６工程と、前記第１カラーフィルター層、前記第２カラーフィルター層、及び前記第３カラーフィルター層と、前記ＥＬ基板との間に樹脂材料を充填する第７工程とを具備し、隣接する第１画素と第２画素との間に対応する前記カラーフィルターの隔壁は共通しており、共通している隔壁の幅は、各画素に対応する前記第１領域、前記第２領域、及び前記第３領域間の各々の前記カラーフィルターの隔壁の幅より広く、前記第１画素に対応する前記第１領域、前記第２領域、及び前記第３領域の中で端部となる領域に形成されたカラーフィルター層の、前記第２画素側の隔壁の上面に形成された第１部分が、前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳することで、前記隣接する第１画素と第２画素との間の前記共通した隔壁上において、前記第１部分と前記第２部分とが重畳しているとした。
［００５８］
ここで、本発明の別の態様として、前記第２画素に対応する前記第１領域、前記第２領域、及び前記第３領域の中で前記第１画素に隣接する領域に形成されたカラーフィルター層の、前記第１画素側の隔壁の上面に形成された第２部分は、前記第１画素側に延設されているとしてもよい。
［００５９］
ここで、本発明の別の態様として、前記隣接する第１画素と第２画素との間に対応する前記カラーフィルターの隔壁の上面の中央部において、前記第１画素に対応する前記第１領域、前記第２領域、及び前記第３領域の中で端
【手続補正８】
【補正対象書類名】明細書
【補正対象項目名】００１５
【補正方法】変更
【補正の内容】
【００１５】
部となる領域に形成されたカラーフィルター層の、前記第２画素側の隔壁の上面に形成された第１部分は、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳しているとしてもよい。
［００６０］
ここで、本発明の別の態様として、前記第１画素に対応する前記第１領域、前記第２領域、及び前記第３領域の各領域に形成されたカラーフィルター層の、前記第２画素と交差する方向に隣接する第３画素側の隔壁の上面に形成された第３部分が、前記第３画素側に延設されることにより、前記第１画素に対応する前記第１領域、前記第２領域、及び前記第３領域の各領域に形成されたカラーフィルター層の、前記第３画素側の隔壁の反対側の隔壁の上面に形成された部分より長くなっているとしてもよい。
［００６１］
ここで、本発明の一態様であるＥＬ表示パネルの製造方法は、赤色光を出力する第１発光部、緑色光を出力する第２発光部、及び青色光を出力する第３発光部を一単位とする画素が行列状に複数配列されたＥＬ基板を準備する第１工程と、カラーフィルターのベースを準備する第２工程と、前記第１発光部に対応するベースの表面の領域である第１領域に、所望の赤色光を透過する第１カラーフィルター層を形成する第３工程と、前記第２発光部に対応するベースの表面であって、第１カラーフィルター層と所定の間隔で離間した第２領域に、所望の緑色光を透過する第２カラーフィルター層を形成する第４工程と、前記第３発光部に対応するベースの表面であって、第２カラーフィルター層と、前記所定の間隔と同一、あるいは所定の近似値の範囲内で離間した第３領域に、所望の青色光を透過する第３カラーフィルター層を形成する第５工程と、前記第１カラーフィルター層、前記第２カラーフィルター層、及び前記第３カラーフィルター層と、前記ＥＬ基板と、の間に樹脂材料を充填する第６工程とを具備し、第１画素に対応する前記第１領域、前記第２領域、及び前記第３領域の中で端部となる領域に形成されたカラーフィルター層は、前記第１画素に隣接する第２画素側に延設され、かつ、前記端部とな
【手続補正９】
【補正対象書類名】明細書
【補正対象項目名】００１６
【補正方法】変更
【補正の内容】
【００１６】
る領域に形成されたカラーフィルター層の、前記第２画素側の端部は、前記隣接する第１画素と第２画素との間において、前記第２画素に対応する前記第１領域、前記第２領域、及び前記第３領域の中で前記第１画素に隣接する領域に形成されたカラーフィルター層の、前記第１画素側の端部に重畳しているとした。
［００６２］
ここで、本発明の別の態様として、前記第２画素に対応する前記第１領域、前記第２領域、及び前記第３領域の中で前記第１画素に隣接する領域に形成されたカラーフィルター層は、前記第１画素側に延設されているとしてもよい。
［００６３］
ここで、本発明の別の態様として、前記隣接する第１画素と第２画素との間に対応する領域の中央部において、前記第１画素に対応する前記第１領域、前記第２領域、及び前記第３領域の中で端部となる領域に形成されたカラーフィルター層の、前記第２画素側の端部は、前記第２画素に対応する前記第１領域、前記第２領域、及び前記第３領域の中で前記第１画素に隣接する領域に形成されたカラーフィルター層の、前記第１画素側の端部に重畳しているとしてもよい。
［００６４］
ここで、本発明の別の態様として、前記第１画素に対応する前記第１領域、前記第２領域、及び前記第３領域の各領域に形成されたカラーフィルター層は、前記第２画素と交差する方向に隣接する第３画素側に延設されているとしてもよい。
［００６５］
［実施の形態１］
＜表示装置１の全体構成＞
本実施の形態に係る表示装置１の全体構成について、図１を用い説明する。図１は、表示装置１の全体構成を模式的に示すブロック図である。
［００６６］
図１に示すように、表示装置１は、有機ＥＬ表示パネル１０と、これに接続された駆動制御部２０とを有し構成されている。有機ＥＬ表示パネル１０は、有機材料の電界発光現象を利用したトップエミッション型の有機ＥＬ表示パネルである。
［００６７］
また、駆動制御部２０は、４つの駆動回路２１〜２４と制御回路２５とから構成されている。
［００６８］
なお、実際の表示装置１では、有機ＥＬ表示パネル１０に対する駆動制御部
【手続補正１０】
【補正対象書類名】明細書
【補正対象項目名】００３０
【補正方法】変更
【補正の内容】
【００３０】
１２は、実施の形態２の有機ＥＬ表示パネル１０の要部を模式的に示す部分断面図である。図１２に示すように、基板本体１１１の一方の面（ＥＬ基板１１に対向する対向面）で、かつ、有機発光層１０５（Ｒ）、（Ｇ）、（Ｂ）に対応する各領域に、対応する色のＣＦ層１１３（Ｒ）、（Ｇ）、（Ｂ）がそれぞれ形成されている。
［０１４５］
ＥＬ基板１１については、実施の形態１と同様であるので、ここではその説明を省略する。
［０１４６］
続いて、ＣＦ１２の構成について詳細に説明する。図１３（ａ）は、実施の形態２のＣＦ層の配置関係を模式的に示す図である。図１３（ａ）に示すように、ＣＦ層１１３（Ｒ）及びＣＦ層１１３（Ｂ）がそれぞれ、互いの方向に延設している。そのため、ＣＦ層１１３（Ｒ）及びＣＦ層１１３（Ｂ）のＸ軸方向の幅が、ＣＦ層１１３（Ｇ）のＸ軸方向の幅に比べて、広くなっている。
［０１４７］
ＢＭ１１２とＣＦ層１１３との配置関係について、図１３（ｂ）、（ｃ）を用いて、より詳細に説明する。図１３（ｂ）は、実施の形態２のＣＦの構成を示す部分断面図（図１３（ａ）のＨ−Ｈ’断面）である。図１３（ｃ）は、実施の形態２のＣＦの構成を示す部分断面図（図１３（ａ）のＩ−Ｉ’断面）である。
［０１４８］
図１３（ｂ）において、ＣＦ層１１３（Ｒ）及びＣＦ層１１３（Ｂ）に着目すると、ＣＦ層１１３（Ｒ）のＣＦ層１１３（Ｂ）側の端部と、ＣＦ層１１３（Ｂ）のＣＦ層１１３（Ｒ）側の端部とが重畳している。
［０１４９］
そのため、ＣＦ１２全体として見た場合に、この重畳している部分（画素間に対応する部分）が凸部となり、画素内に対応する部分に形成された各ＣＦ層１１３（Ｒ）、（Ｇ）、（Ｂ）が全体として凹部となる。
［０１５０］
また、図１３（ａ）及び図１３（ｃ）に示すように、ＣＦ層１１３（Ｂ）は、Ｙ軸方向に延設している。隣接するＣＦ層１１３（Ｂ）の間隔ｌ７は、図１３（ｂ）に示した間隔ｌ６と同一、または所定の近似値の範囲内であることが好ましい。所定の近似値の範囲内については、実施の形態１で述べた通りである。
【手続補正書】
【提出日】平成24年4月13日(2012.4.13)
【手続補正１】
【補正対象書類名】明細書
【補正対象項目名】全文
【補正方法】変更
【補正の内容】
【発明の詳細な説明】
【技術分野】
【０００１】
本発明は、ＥＬ表示パネル、ＥＬ表示パネルを備えたＥＬ表示装置、有機ＥＬ表示装置、およびＥＬ表示パネルの製造方法に関し、特に、ＥＬ表示パネルにおけるカラーフィルターの構造に関する。
【背景技術】
【０００２】
従来、表示パネルとして液晶表示パネルが知られている（例えば、特許文献１参照）。同パネルは、一方の面にそれぞれ所定の構成要素が形成された２枚のガラス基板を対向配置し両基板間に液晶を充填してなる。一方のガラス基板の主面（他方のガラス基板と対向する対向面）上には、所定の構成要素として、ブラックマトリクス（以下、「ＢＭ」という）及びＲ、Ｇ、Ｂに対応する各カラーフィルター（以下、（ＣＦ）という）層が形成されている（以下、ガラス基板上にＢＭ及び各ＣＦ層が形成されたものを「カラーフィルター（ＣＦ）」という）。ガラス基板上に形成されたＢＭ及び各ＣＦ層の配置関係の一例について説明すると、Ｒ、Ｇ、Ｂに対応する各ＣＦ層が行列状に形成され、隣接するＣＦ層の間にＢＭが形成されている。各ＣＦ層は、当該ＣＦ層を規定しているＢＭの形状に沿って形成されており、当該ＢＭの端部上面に一部が乗り上げた状態となっている。
【０００３】
ところで近年、次世代の表示パネルとして、ＥＬ表示パネルの研究・開発が進んでいる。同パネルは、一方の面にＲ、Ｇ、Ｂに対応する各発光部の組みを一単位とする画素が行列状に複数配列されたＥＬ基板に対し、ＣＦを対向配置させ、ＥＬ基板とＣＦとの間に封止用の樹脂を充填してなる。
【先行技術文献】
【特許文献】
【０００４】
【特許文献１】特開２００８−１１２００１号公報
【発明の概要】
【発明が解決しようとする課題】
【０００５】
上述のように、液晶表示パネルには液晶が充填されるのに対し、ＥＬ表示パネルでは液晶ではなく樹脂が充填されるが、発明者は、ＥＬ表示パネルにおいて樹脂が充填されていない未充填部分が存在することを確認した。この未充填部分が、発光部における発光層に相当する領域に存在する場合に特に問題となる。この未充填部分に酸素や水分が溜まると、溜まった酸素や水分が発光部における発光層と反応し、当該発光層を劣化させてしまうからである。その結果、発光層から出力される光の輝度が低減したり、発光層の寿命が短縮したりする。さらに、樹脂の充填部分と未充填部分とで屈折率が異なるために光の反射が起こり、光取り出し効率も低下する可能性がある。
【０００６】
発明者は、理論上必要とされる量の２、３倍に樹脂の量を増やして実験したが、改善は見られなかった。
さらに樹脂の量を増やすことも考えられるが、これ以上の樹脂量の増加は、ＥＬ基板とＣＦとの間隔を均一に保つことを困難にし、適切ではない。
本発明は、樹脂量を増やすことなく、発光層に相当する領域において樹脂が充填されていない未充填部分を低減したＥＬ表示パネルを提供することを目的とする。
【課題を解決するための手段】
【０００７】
上記課題を解決するために、本発明の一態様に係るＥＬ表示パネルは、赤色光を出力する第１発光部、緑色光を出力する第２発光部、及び青色光を出力する第３発光部を一単位とする画素が行列状に複数配列されたＥＬ基板と、前記ＥＬ基板の光の出力側に設けられたカラーフィルターのベースと、前記カラーフィルターのベースの前記ＥＬ基板側に形成され、前記第１発光部に対応する第１領域、前記第２発光部に対応する第２領域、及び前記第３発光部に対応する第３領域の各々を区画するカラーフィルターの隔壁と、前記第１領域を区画する両側の隔壁の上面から前記両側の隔壁の側面及び前記両側の隔壁によって区画された第１領域に対応するベースの表面、に沿った形状に窪んで形成され、所望の赤色光を透過する第１カラーフィルター層と、前記第２領域を区画する両側の隔壁の上面から前記両側の隔壁の側面及び前記両側の隔壁によって区画された第２領域に対応するベースの表面、に沿った形状に窪んで形成され、所望の緑色光を透過する第２カラーフィルター層と、前記第３領域を区画する両側の隔壁の上面から前記両側の隔壁の側面及び前記両側の隔壁によって区画された第３領域に対応するベースの表面、に沿った形状に窪んで形成され、所望の青色光を透過する第３カラーフィルター層と、前記第１カラーフィルター層、前記第２カラーフィルター層、及び前記第３カラーフィルター層と、前記ＥＬ基板との間に充填された樹脂層と、を具備し、隣接する第１画素と第２画素との間に対応する前記カラーフィルターの隔壁は共通しており、共通している隔壁の幅は、各画素に対応する前記第１領域、前記第２領域、及び前記第３領域間の各々の前記カラーフィルターの隔壁の幅より広く、前記第１画素に対応する前記第１領域、前記第２領域、及び前記第３領域の中で端部となる領域に形成されたカラーフィルター層の、前記第２画素側の隔壁の上面に形成された第１部分が、前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳することで、前記隣接する第１画素と第２画素との間の前記共通した隔壁上において、前記第１部分と前記第２部分とが重畳している構成とした。
【発明の効果】
【０００８】
発明者は、未充填部分が存在する原因としてＣＦの形状に着目した。ＣＦにおいて、各ＣＦ層は、当該ＣＦ層を規定している隔壁の端部上面に一部が乗り上げた状態で形成されているため、隔壁とＣＦ層とで段差が生じ、ＣＦの形状は凹凸形状になっている。より詳細には、ＣＦ層上面に比べ、隔壁上面が低くなっており、そのためにＣＦ全体として見た場合に、ＣＦ層が凸部になり、隔壁上面に形成された、隣接するＣＦ層の部分同士の隙間部分が凹部となっている。
【０００９】
また、ＥＬ表示パネルでは、陰極での電圧降下による輝度のばらつきを軽減するために、ＥＬ基板側に、陰極に対して電圧供給を図る補助電極が画素毎に配置されている。そのため、ＣＦにおいて、補助電極が形成されている画素間に対応する領域（以下、「画素間領域」という）では、サブピクセル間に対応する領域（以下、「サブピクセル間領域」という）に比べて、隔壁が幅広に形成されている。その結果、ＣＦにおいて、画素間領域に形成された隔壁における凹部は、サブピクセル間領域に形成された隔壁における凹部に比べ、幅広になる。
【００１０】
発明者は、ＥＬ表示パネルにおける未充填部分が、ＣＦの凹凸形状に起因していることを突き止めた。より詳細には、ＣＦに樹脂を滴下した場合に、画素間領域に形成された隔壁における幅広の凹部に樹脂が真っ先に拡がり、そのためにＣＦ層上に樹脂が拡がりづらくなっていることを確認した。結果として、ＥＬ基板とＣＦとを貼り合わせた際には、発光層に相当する領域に樹脂が充填されていない未充填部分が存在していた。
【００１１】
本発明の一態様に係るＥＬ表示パネルでは、前記第１画素に対応する前記第１領域、前記第２領域、及び前記第３領域の中で端部となる領域に形成されたＣＦ層の、前記第２画素側の隔壁の上面に形成された部分が、前記第２画素側に延設され、かつ、前記第２画素に対応する前記第１領域、前記第２領域、及び前記第３領域の中で前記第１画素に隣接する領域に形成されたＣＦ層の、前記第１画素側の隔壁の上面に形成された部分に重畳している。
【００１２】
このため、本発明の一態様に係るＥＬ表示パネルでは、第１画素と第２画素との間に対応する前記ＣＦの隔壁（以下、「画素間隔壁」という）の幅が、各画素に対応する前記第１領域、前記第２領域、及び前記第３領域間の各々の前記ＣＦの隔壁（以下、「サブピクセル間隔壁」という）の幅より広くなっているものの、画素間隔壁上には、樹脂が拡がる際の通路となり得る凹部は存在しない。
【００１３】
画素間隔壁上には、ＣＦ層が重畳されているため、ＣＦ全体としてみた場合には、逆に、凸部が形成されることになる。そして、この凸部に対して、画素に対応する領域に形成されたＲ、Ｇ、Ｂに対応する各ＣＦ層全体として凹部が形成されている。
つまり、Ｒ、Ｇ、Ｂに対応する各ＣＦ層全体で、樹脂が拡がる際の通路となる凹部を形成しているので、ＣＦに樹脂を滴下した場合に、画素間隔壁上面の凸部に樹脂が拡がりづらくなる一方で、凹部となる各ＣＦ層上には樹脂が拡がり易くなる。
【００１４】
ＣＦに樹脂を滴下した際に各ＣＦ層上に樹脂が拡がりやすくなるので、ＣＦとＥＬ基板とを貼り合わせた際の、すなわち、ＥＬ表示パネルにおける、発光層に相当する領域での樹脂の未充填部分を低減することができる。
また、本発明の一態様に係るＥＬ表示パネルでは、別途特別な材料を用いて画素間隔壁上に凸部を形成するのではなく、ＣＦ層という既存材料を延設させることにより画素間隔壁上に凸部を形成するので、簡易な構成により未充填部分を低減することができる。
【図面の簡単な説明】
【００１５】
【図１】実施の形態１の表示装置１の全体構成を模式的に示すブロック図である。
【図２】実施の形態１の有機ＥＬ表示パネル１０の要部を模式的に示す部分断面図である。
【図３】（ａ）実施の形態１のＢＭの構成を模式的に示す図である。（ｂ）実施の形態１のＢＭとＣＦ層との配置関係を模式的に示す図である。
【図４】（ａ）実施の形態１のＣＦの構成を示す部分断面図（図３のＡ−Ａ’断面）である。（ｂ）実施の形態１のＣＦの構成を示す部分断面図（図３のＢ−Ｂ’断面）である。
【図５】実施の形態１のＣＦの製造工程の一例を示す図である。
【図６】（ａ）比較用のＢＭとＣＦ層との配置関係を模式的に示す図である。（ｂ）比較用のＣＦの構成を示す部分断面図（図６（ａ）のＣ−Ｃ’断面）である。（ｃ）比較用のＣＦの構成を示す部分断面図（図６（ａ）のＤ−Ｄ’断面）である。
【図７】（ａ）比較用のＣＦに樹脂を滴下した状態を示す模式図及び比較用のＣＦでの樹脂の拡がり具合を示す模式図である。（ｂ）樹脂が滴下された状態における、比較用のＣＦの構成を示す模式図（図７（ａ）のＥ−Ｅ’断面）である。
【図８】比較用のＣＦを用いた有機ＥＬ表示パネル１０００の構成を模式的に示す部分断面端面図である。
【図９】（ａ）実施の形態１のＣＦに樹脂を滴下した状態を示す模式図及び実施の形態１のＣＦでの樹脂の拡がり具合を示す模式図である。（ｂ）樹脂が滴下された状態における、実施の形態１のＣＦの構成を示す模式図（図９（ａ）のＦ−Ｆ’断面）である。
【図１０】（ａ）実施の形態１のＣＦでの樹脂の拡がり具合を示す模式図である（図９（ａ）の領域Ａ）。（ｂ）樹脂が滴下された状態における、実施の形態１のＣＦの構成を示す模式図（図９（ａ）のＧ−Ｇ’断面）である。
【図１１】変形例１−１におけるＢＭとＣＦ層との配置関係を模式的に示す図である。
【図１２】実施の形態２の有機ＥＬ表示パネル１０の構成を示す部分断面図である。
【図１３】（ａ）実施の形態２のＢＭとＣＦ層との配置関係を模式的に示す図である。（ｂ）実施の形態２のＣＦの構成を示す部分断面図（図１３（ａ）のＨ−Ｈ’断面）である。（ｃ）は、実施の形態２のＣＦの構成を示す部分断面図（図１３（ａ）のＩ−Ｉ’断面）である。
【図１４】表示装置１の外観を示す外観斜視図である。
【図１５】比較用のＣＦに樹脂を滴下した際の樹脂の拡がり具合を示す写真である。
【発明を実施するための形態】
【００１６】
［実施の態様］
本発明の一態様であるＥＬ表示パネルは、赤色光を出力する第１発光部、緑色光を出力する第２発光部、及び青色光を出力する第３発光部を一単位とする画素が行列状に複数配列されたＥＬ基板と、前記ＥＬ基板の光の出力側に設けられたカラーフィルターのベースと、前記カラーフィルターのベースの前記ＥＬ基板側に形成され、前記第１発光部に対応する第１領域、前記第２発光部に対応する第２領域、及び前記第３発光部に対応する第３領域の各々を区画するカラーフィルターの隔壁と、前記第１領域を区画する両側の隔壁の上面から前記両側の隔壁の側面及び前記両側の隔壁によって区画された第１領域に対応するベースの表面、に沿った形状に窪んで形成され、所望の赤色光を透過する第１カラーフィルター層と、前記第２領域を区画する両側の隔壁の上面から前記両側の隔壁の側面及び前記両側の隔壁によって区画された第２領域に対応するベースの表面、に沿った形状に窪んで形成され、所望の緑色光を透過する第２カラーフィルター層と、前記第３領域を区画する両側の隔壁の上面から前記両側の隔壁の側面及び前記両側の隔壁によって区画された第３領域に対応するベースの表面、に沿った形状に窪んで形成され、所望の青色光を透過する第３カラーフィルター層と、前記第１カラーフィルター層、前記第２カラーフィルター層、及び前記第３カラーフィルター層と、前記ＥＬ基板との間に充填された樹脂層と、を具備し、隣接する第１画素と第２画素との間に対応する前記カラーフィルターの隔壁は共通しており、共通している隔壁の幅は、各画素に対応する前記第１領域、前記第２領域、及び前記第３領域間の各々の前記カラーフィルターの隔壁の幅より広く、前記第１画素に対応する前記第１領域、前記第２領域、及び前記第３領域の中で端部となる領域に形成されたカラーフィルター層の、前記第２画素側の隔壁の上面に形成された第１部分が、前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳することで、前記隣接する第１画素と第２画素との間の前記共通した隔壁上において、前記第１部分と前記第２部分とが重畳している構成とした。
【００１７】
本発明の一態様に係るＥＬ表示パネルでは、前記第１画素に対応する前記第１領域、前記第２領域、及び前記第３領域の中で端部となる領域に形成されたＣＦ層の、前記第２画素側の隔壁の上面に形成された部分が、前記第２画素側に延設され、かつ、前記第２画素に対応する前記第１領域、前記第２領域、及び前記第３領域の中で前記第１画素に隣接する領域に形成されたＣＦ層の、前記第１画素側の隔壁の上面に形成された部分に重畳している。
【００１８】
このため、本発明の一態様に係るＥＬ表示パネルでは、第１画素と第２画素との間に対応する前記ＣＦの隔壁の幅が、各画素に対応する前記第１領域、前記第２領域、及び前記第３領域間の各々の前記ＣＦの隔壁の幅より広くなっているものの、画素間隔壁上には、樹脂が拡がる際の通路となり得る凹部は存在しない。
画素間隔壁上には、ＣＦ層が重畳されているため、ＣＦ全体としてみた場合には、逆に、凸部が形成されることになる。そして、この凸部に対して、画素に対応する領域に形成されたＲ、Ｇ、Ｂに対応する各ＣＦ層全体として凹部が形成されている。
【００１９】
つまり、Ｒ、Ｇ、Ｂに対応する各ＣＦ層全体で、樹脂が拡がる際の通路となる凹部を形成しているので、ＣＦに樹脂を滴下した場合に、画素間隔壁上面の凸部に樹脂が拡がりづらくなる一方で、凹部となる各ＣＦ層上には樹脂が拡がり易くなる。
ＣＦに樹脂を滴下した際に各ＣＦ層上に樹脂が拡がりやすくなるので、ＣＦとＥＬ基板とを貼り合わせた際の、すなわち、ＥＬ表示パネルにおける、発光層に相当する領域での樹脂の未充填部分を低減することができる。
【００２０】
また、本発明の一態様に係るＥＬ表示パネルでは、別途特別な材料を用いて画素間隔壁上に凸部を形成するのではなく、ＣＦ層という既存材料を延設させることにより画素間隔壁上に凸部を形成するので、簡易な構成により未充填部分を低減することができる。
ここで、本発明の別の態様として、前記第２画素に対応する前記第１領域、前記第２領域、及び前記第３領域の中で前記第１画素に隣接する領域に形成されたカラーフィルター層の、前記第１画素側の隔壁の上面に形成された第２部分は、前記第１画素側に延設されているとしてもよい。
【００２１】
ここで、本発明の別の態様として、前記隣接する第１画素と第２画素との間に対応する前記カラーフィルターの隔壁の上面の中央部において、前記第１画素に対応する前記第１領域、前記第２領域、及び前記第３領域の中で端部となる領域に形成されたカラーフィルター層の、前記第２画素側の隔壁の上面に形成された第１部分は、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳しているとしてもよい。
【００２２】
本態様のＥＬ表示パネルでは、前記隣接する第１画素と第２画素との間に対応する前記カラーフィルターの隔壁の上面の中央部において、隣接するＣＦ層の端部同士が重畳している。
このため、隣接する第１画素と第２画素に対応する各領域に樹脂が均等に拡がり易くなるので、各領域で樹脂の充填度合いに差が生じ難くなる。また、各領域に樹脂が均等に拡がり易くなることで、何れの領域においても樹脂の未充填部分を低減することができる。
【００２３】
ここで、本発明の別の態様として、前記第１画素に対応する前記第１領域、前記第２領域、及び前記第３領域の各領域に形成されたカラーフィルター層の、前記第２画素と交差する方向に隣接する第３画素側の隔壁の上面に形成された第３部分が、前記第３画素側に延設されることにより、前記第１画素に対応する前記第１領域、前記第２領域、及び前記第３領域の各領域に形成されたカラーフィルター層の、前記第３画素側の隔壁の反対側の隔壁の上面に形成された部分より長くなっているとしてもよい。
【００２４】
本態様のＥＬ表示パネルでは、前記第１画素に対応する前記第１領域、前記第２領域、及び前記第３領域の各領域に形成されたＣＦ層の、前記第３画素側の隔壁の上面に形成された部分が、前記第３画素側に延設される。これにより、前記第１画素に対応する前記第１領域、前記第２領域、及び前記第３領域の各領域に形成されたＣＦ層の、前記第３画素側の隔壁の上面に形成された部分と、前記第３画素に対応する前記第１領域、前記第２領域、及び前記第３領域の各領域に形成されたＣＦ層の、第１画素側の隔壁の上面に形成された部分との間隔を狭めることができる。
【００２５】
このことは、樹脂が拡がる際の通路となる凹部の幅を狭めることを意味するので、ＣＦに樹脂を滴下した場合に、第１画素と第３画素との間に対応する画素間隔壁上に樹脂が拡がりづらくなる一方で、各ＣＦ層上には樹脂が拡がりやすくなる。
前記隣接する第１画素と第２画素との間に対応する前記カラーフィルターの隔壁上において、隣接するＣＦ層の端部同士が重畳しているだけでなく、前記第１画素に対応する前記第１領域、前記第２領域、及び前記第３領域の各領域に形成されたＣＦ層を第３画素側に延設させるので、ＥＬ表示パネルにおいて樹脂の未充填部分をより一層低減することができる。
【００２６】
ここで、本発明の別の態様として、赤色光を出力する第１発光部、緑色光を出力する第２発光部、及び青色光を出力する第３発光部を一単位とする画素が行列状に複数配列されたＥＬ基板と、前記ＥＬ基板の光の出力側に設けられたカラーフィルターのベースと、前記第１発光部に対応するベースの表面の領域である第１領域に形成され、所望の赤色光を透過する第１カラーフィルター層と、前記第２発光部に対応するベースの表面であって、第１カラーフィルター層と所定の間隔で離間した第２領域に形成され、所望の緑色光を透過する第２カラーフィルター層と、前記第３発光部に対応するベースの表面であって、第２カラーフィルター層と、前記所定の間隔と同一、あるいは所定の近似値の範囲内で離間した第３領域に形成され、所望の青色光を透過する第３カラーフィルター層と、前記第１カラーフィルター層、前記第２カラーフィルター層、及び前記第３カラーフィルター層と、前記ＥＬ基板との間に充填された樹脂層と、を具備し、第１画素に対応する前記第１領域、前記第２領域、及び前記第３領域の中で端部となる領域に形成されたカラーフィルター層は、前記第１画素に隣接する第２画素側に延設され、かつ、前記端部となる領域に形成されたカラーフィルター層の、前記第２画素側の端部は、前記隣接する第１画素と第２画素との間において、前記第２画素に対応する前記第１領域、前記第２領域、及び前記第３領域の中で前記第１画素に隣接する領域に形成されたカラーフィルター層の、前記第１画素側の端部に重畳している構成とした。
【００２７】
本発明の一態様に係るＥＬ表示パネルでは、前記第１画素に対応する前記第１領域、前記第２領域、及び前記第３領域の中で端部となる領域に形成されたＣＦ層が、前記第２画素側に延設され、かつ、前記端部となる領域に形成されたＣＦ層の端部が、前記第２画素に対応する前記第１領域、前記第２領域、及び前記第３領域の中で前記第１画素に隣接する領域に形成されたＣＦ層の、前記第１画素側の端部に重畳している。
【００２８】
このため、本発明の一態様に係るＥＬ表示パネルでは、第１画素と第２画素との間に対応する領域（以下、「画素間領域」という）に、樹脂が拡がる際の通路となり得る凹部は存在せず、逆に、当該画素間領域には、ＣＦ全体としてみた場合に凸部が形成されることになる。
そして、この凸部に対して、画素に対応する領域に形成されたＲ、Ｇ、Ｂに対応する各ＣＦ層全体として凹部が形成されている。
【００２９】
つまり、Ｒ、Ｇ、Ｂに対応する各ＣＦ層全体で、樹脂が拡がる際の通路となる凹部を形成しているので、ＣＦに樹脂を滴下した場合に、画素間領域における凸部に樹脂が拡がりづらくなる一方で、凹部となる各ＣＦ層上には樹脂が拡がり易くなる。
ＣＦに樹脂を滴下した際に各ＣＦ層上に樹脂が拡がりやすくなるので、ＣＦとＥＬ基板とを貼り合わせた際の、すなわち、ＥＬ表示パネルにおける、発光層に相当する領域での樹脂の未充填部分を低減することができる。
【００３０】
また、本発明の一態様に係るＥＬ表示パネルでは、別途特別な材料を用いて画素間領域に凸部を形成するのではなく、ＣＦ層という既存材料を延設させることにより画素間領域に凸部を形成するので、簡易な構成により未充填部分を低減することができる。
このように、本態様によれば、隔壁を有さないＣＦを用いたＥＬ表示パネルであっても、ＥＬ表示パネルにおける、発光層に相当する領域での樹脂の未充填部分を低減することができる。
【００３１】
ここで、本発明の別の態様として、前記第２画素に対応する前記第１領域、前記第２領域、及び前記第３領域の中で前記第１画素に隣接する領域に形成されたカラーフィルター層は、前記第１画素側に延設されているとしてもよい。
ここで、本発明の別の態様として、前記隣接する第１画素と第２画素との間に対応する領域の中央部において、前記第１画素に対応する前記第１領域、前記第２領域、及び前記第３領域の中で端部となる領域に形成されたカラーフィルター層の、前記第２画素側の端部は、前記第２画素に対応する前記第１領域、前記第２領域、及び前記第３領域の中で前記第１画素に隣接する領域に形成されたカラーフィルター層の、前記第１画素側の端部に重畳しているとしてもよい。
【００３２】
本態様のＥＬ表示パネルでは、画素間領域の中央部において、隣接するＣＦ層の端部同士が重畳している。
このため、隣接する第１画素と第２画素に対応する各領域に樹脂が均等に拡がり易くなるので、各領域で樹脂の充填度合いに差が生じ難くなる。また、各領域に樹脂が均等に拡がり易くなることで、何れの領域においても樹脂の未充填部分を低減することができる。
【００３３】
ここで、本発明の別の態様として、前記第１画素に対応する前記第１領域、前記第２領域、及び前記第３領域の各領域に形成されたカラーフィルター層は、前記第２画素と交差する方向に隣接する第３画素側に延設されているとしてもよい。
本態様のＥＬ表示パネルでは、前記第１画素に対応する前記第１領域、前記第２領域、及び前記第３領域の各領域に形成されたＣＦ層は、前記第３画素側に延設されている。これにより、前記第１画素に対応する前記第１領域、前記第２領域、及び前記第３領域の各領域に形成されたＣＦ層と、前記第３画素に対応する前記第１領域、前記第２領域、及び前記第３領域の各領域に形成されたＣＦ層との間隔を狭めることができる。
【００３４】
このことは、樹脂が拡がる際の通路となる凹部の幅を狭めることを意味するので、ＣＦに樹脂を滴下した場合に、第１画素と第３画素との間に対応する画素間領域に樹脂が拡がりづらくなる一方で、各ＣＦ層上には樹脂が拡がりやすくなる。
前記隣接する第１画素と第２画素との画素間領域において、隣接するＣＦ層の端部同士が重畳しているだけでなく、前記第１画素に対応する前記第１領域、前記第２領域、及び前記第３領域の各領域に形成されたＣＦ層を第３画素側に延設させるので、ＥＬ表示パネルにおいて樹脂の未充填部分をより一層低減することができる。
【００３５】
ここで、本発明の別の態様として、上記本発明の一態様に係るＥＬ表示パネルを備えたＥＬ表示装置としてもよい。
本態様のＥＬ表示装置では、上記同様の理由により、ＥＬ表示パネルにおいて発光層に相当する領域での樹脂の未充填部分を低減することができる。
ここで、本発明の別の態様として、前記第１発光部、前記第２発光部、及び前記第３発光部の各々は、有機発光部であるとしてもよい。
【００３６】
本態様によれば、前記第１発光部、前記第２発光部、及び前記第３発光部の各々は有機発光部であるため、有機ＥＬ表示パネルを実現することができる。
ここで、本発明の別の態様として、有機ＥＬ表示パネルを備えた有機ＥＬ表示装置としてもよい。
本態様の有機ＥＬ表示装置では、上記同様の理由により、ＥＬ表示パネルにおいて発光層に相当する領域での樹脂の未充填部分を低減することができる。
【００３７】
ここで、本発明の一態様であるＥＬ表示パネルの製造方法は、赤色光を出力する第１発光部、緑色光を出力する第２発光部、及び青色光を出力する第３発光部を一単位とする画素が行列状に複数配列されたＥＬ基板を準備する第１工程と、カラーフィルターのベースを準備する第２工程と、前記ベース上であって、前記ベースの前記ＥＬ基板と対向させる側に、前記第１発光部に対応する第１領域、前記第２発光部に対応する第２領域、及び前記第３発光部に対応する第３領域の各々を区画するカラーフィルターの隔壁を形成する第３工程と、前記第１領域を区画する両側の隔壁の上面から前記両側の隔壁の側面及び前記両側の隔壁によって区画された第１領域に対応するベースの表面、に沿った形状に窪んで、所望の赤色光を透過する第１カラーフィルター層を形成する第４工程と、前記第２領域を区画する両側の隔壁の上面から前記両側の隔壁の側面及び前記両側の隔壁によって区画された第２領域に対応するベースの表面、に沿った形状に窪んで、所望の緑色光を透過する第２カラーフィルター層を形成する第５工程と、前記第３領域を区画する両側の隔壁の上面から前記両側の隔壁の側面及び前記両側の隔壁によって区画された第３領域に対応するベースの表面、に沿った形状に窪んで、所望の青色光を透過する第３カラーフィルター層を形成する第６工程と、前記第１カラーフィルター層、前記第２カラーフィルター層、及び前記第３カラーフィルター層と、前記ＥＬ基板との間に樹脂材料を充填する第７工程とを具備し、隣接する第１画素と第２画素との間に対応する前記カラーフィルターの隔壁は共通しており、共通している隔壁の幅は、各画素に対応する前記第１領域、前記第２領域、及び前記第３領域間の各々の前記カラーフィルターの隔壁の幅より広く、前記第１画素に対応する前記第１領域、前記第２領域、及び前記第３領域の中で端部となる領域に形成されたカラーフィルター層の、前記第２画素側の隔壁の上面に形成された第１部分が、前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳することで、前記隣接する第１画素と第２画素との間の前記共通した隔壁上において、前記第１部分と前記第２部分とが重畳しているとした。
【００３８】
ここで、本発明の別の態様として、前記第２画素に対応する前記第１領域、前記第２領域、及び前記第３領域の中で前記第１画素に隣接する領域に形成されたカラーフィルター層の、前記第１画素側の隔壁の上面に形成された第２部分は、前記第１画素側に延設されているとしてもよい。
ここで、本発明の別の態様として、前記隣接する第１画素と第２画素との間に対応する前記カラーフィルターの隔壁の上面の中央部において、前記第１画素に対応する前記第１領域、前記第２領域、及び前記第３領域の中で端部となる領域に形成されたカラーフィルター層の、前記第２画素側の隔壁の上面に形成された第１部分は、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳しているとしてもよい。
【００３９】
ここで、本発明の別の態様として、前記第１画素に対応する前記第１領域、前記第２領域、及び前記第３領域の各領域に形成されたカラーフィルター層の、前記第２画素と交差する方向に隣接する第３画素側の隔壁の上面に形成された第３部分が、前記第３画素側に延設されることにより、前記第１画素に対応する前記第１領域、前記第２領域、及び前記第３領域の各領域に形成されたカラーフィルター層の、前記第３画素側の隔壁の反対側の隔壁の上面に形成された部分より長くなっているとしてもよい。
【００４０】
ここで、本発明の一態様であるＥＬ表示パネルの製造方法は、赤色光を出力する第１発光部、緑色光を出力する第２発光部、及び青色光を出力する第３発光部を一単位とする画素が行列状に複数配列されたＥＬ基板を準備する第１工程と、カラーフィルターのベースを準備する第２工程と、前記第１発光部に対応するベースの表面の領域である第１領域に、所望の赤色光を透過する第１カラーフィルター層を形成する第３工程と、前記第２発光部に対応するベースの表面であって、第１カラーフィルター層と所定の間隔で離間した第２領域に、所望の緑色光を透過する第２カラーフィルター層を形成する第４工程と、前記第３発光部に対応するベースの表面であって、第２カラーフィルター層と、前記所定の間隔と同一、あるいは所定の近似値の範囲内で離間した第３領域に、所望の青色光を透過する第３カラーフィルター層を形成する第５工程と、前記第１カラーフィルター層、前記第２カラーフィルター層、及び前記第３カラーフィルター層と、前記ＥＬ基板と、の間に樹脂材料を充填する第６工程とを具備し、第１画素に対応する前記第１領域、前記第２領域、及び前記第３領域の中で端部となる領域に形成されたカラーフィルター層は、前記第１画素に隣接する第２画素側に延設され、かつ、前記端部となる領域に形成されたカラーフィルター層の、前記第２画素側の端部は、前記隣接する第１画素と第２画素との間において、前記第２画素に対応する前記第１領域、前記第２領域、及び前記第３領域の中で前記第１画素に隣接する領域に形成されたカラーフィルター層の、前記第１画素側の端部に重畳しているとした。
【００４１】
ここで、本発明の別の態様として、前記第２画素に対応する前記第１領域、前記第２領域、及び前記第３領域の中で前記第１画素に隣接する領域に形成されたカラーフィルター層は、前記第１画素側に延設されているとしてもよい。
ここで、本発明の別の態様として、前記隣接する第１画素と第２画素との間に対応する領域の中央部において、前記第１画素に対応する前記第１領域、前記第２領域、及び前記第３領域の中で端部となる領域に形成されたカラーフィルター層の、前記第２画素側の端部は、前記第２画素に対応する前記第１領域、前記第２領域、及び前記第３領域の中で前記第１画素に隣接する領域に形成されたカラーフィルター層の、前記第１画素側の端部に重畳しているとしてもよい。
【００４２】
ここで、本発明の別の態様として、前記第１画素に対応する前記第１領域、前記第２領域、及び前記第３領域の各領域に形成されたカラーフィルター層は、前記第２画素と交差する方向に隣接する第３画素側に延設されているとしてもよい。
［実施の形態１］
＜表示装置１の全体構成＞
本実施の形態に係る表示装置１の全体構成について、図１を用い説明する。図１は、表示装置１の全体構成を模式的に示すブロック図である。
【００４３】
図１に示すように、表示装置１は、有機ＥＬ表示パネル１０と、これに接続された駆動制御部２０とを有し構成されている。有機ＥＬ表示パネル１０は、有機材料の電界発光現象を利用したトップエミッション型の有機ＥＬ表示パネルである。
また、駆動制御部２０は、４つの駆動回路２１〜２４と制御回路２５とから構成されている。
【００４４】
なお、実際の表示装置１では、有機ＥＬ表示パネル１０に対する駆動制御部２０の配置については、これに限られない。
＜有機ＥＬ表示パネル１０の構成＞
（有機ＥＬ表示パネル１０の概略構成）
有機ＥＬ表示パネル１０の構成について詳細に説明する。図２は、実施の形態１の有機ＥＬ表示パネル１０の要部を模式的に示す部分断面図である。図２に示すように、実施の形態１の有機ＥＬ表示パネル１０では、ＴＦＴ基板１０１上に層間絶縁膜１０２が形成されており、この層間絶縁膜１０２上に、陽極１０３ａがサブピクセル単位で行列状にパターニングして形成されている。
【００４５】
また、Ｘ軸方向に隣り合う３つのサブピクセルの組み合わせにより１画素（ピクセル）が構成され、層間絶縁膜１０２上には、補助電極１０３ｂが画素毎に対応してライン状に形成されている。
陽極１０３ａ間、及び陽極１０３ａと補助電極１０３ｂとの間にはバンク１０４が形成されており、バンク１０４で規定された領域内において陽極１０３ａ上には、所定の色の有機発光層１０５が積層されている。さらに、有機発光層１０５上には、陰極１０６及び封止層１０７が、それぞれバンク１０４で規定された領域を超えて隣接する有機発光層１０５及び補助電極１０３ｂのものと連続するように形成されている。
【００４６】
以上、説明した各構成要素（１０１〜１０７）をまとめてＥＬ基板１１という。
また、カラーフィルター（以下、「ＣＦ」という）の基板本体１１１の一方の面（ＥＬ基板１１に対向する対向面）にブラックマトリクス（以下、「ＢＭ」という）１１２及びＲ、Ｇ、Ｂに対応した各ＣＦ層１１３が配設されている。
以上、説明した各構成要素（１１１〜１１３）をまとめてＣＦ１２という。
【００４７】
補助電極１０３ｂ、バンク１０４、及び有機発光層１０５（Ｒ）、（Ｇ）、（Ｂ）とＢＭ１１２及びＣＦ１１３（Ｒ）、（Ｇ）、（Ｂ）との配置関係について説明すると、図２に示すように、補助電極１０３ｂ及びバンク１０４に対応する領域にはＢＭ１１２が形成されている。また、有機発光層１０５（Ｒ）、（Ｇ）、（Ｂ）に対応する各領域には、対応する色のＣＦ層１１３（Ｒ）、（Ｇ）、（Ｂ）が形成されている。
【００４８】
また、画素間には補助電極１０３ｂが形成されているため、画素間に対応するＢＭ（以下、「画素間ＢＭ」という）１１２は、サブピクセル間に対応するＢＭ（以下、「サブピクセル間ＢＭ」という）１１２より幅広になっている。
ＥＬ基板１１とＣＦ１２との間には、樹脂封止層１２１が充填されている。
（ＣＦ１２の構成）
─ＢＭ１１２の配置位置─
続いて、ＣＦ１２の構成について詳細に説明する。図３（ａ）は、ＢＭ１１２の配置位置を模式的に示す図である。図３（ａ）において、白抜き領域は、ＢＭ１１２が形成されていない領域を示している。Ｘ軸方向に隣り合う３つの白抜き領域（第１領域１１４、第２領域１１５、第３領域１１６）を一単位とし、図３（ａ）に示すように、これが行列状に複数形成されている。ＢＭ１１２は、行列状に形成された、第１領域１１４、第２領域１１５、及び第３領域１１６の各々を区画するように形成されている。
【００４９】
Ｘ軸方向において、幅広のＢＭ１１２が画素間ＢＭである。補助電極１０３ｂに対応して、画素単位で幅広のＢＭ１１２が形成されている。
また、ＥＬ基板１１における陽極１０３ａの端部にはコンタクトホールが形成され、陽極１０３ａのコンタクトホール周辺の領域は、発光が規制される。そのため、ＣＦ１２において当該コンタクトホール周辺の領域に対応する領域もＢＭ１１２が形成される。その結果、Ｙ軸方向のＢＭ１１２は、サブピクセル間ＢＭ１１２に比べて、幅広になっている。
【００５０】
─ＢＭ１１２とＣＦ層１１３との配置関係─
図３（ｂ）は、実施の形態１のＣＦにおけるＢＭ１１２とＣＦ層１１３との配置関係を模式的に示す図である。図３（ｂ）に示すように、Ｘ軸方向に隣り合う３つのＣＦ層１１３（Ｒ）、（Ｇ）、（Ｂ）を１単位とし、これが行列状に複数形成されている。また、ＣＦ層１１３（Ｒ）及びＣＦ層１１３（Ｂ）がそれぞれ、互いの方向に延設している。そのため、ＣＦ層１１３（Ｒ）及びＣＦ層１１３（Ｂ）のＸ軸方向の幅が、ＣＦ層１１３（Ｇ）のＸ軸方向の幅に比べて、広くなっている。
【００５１】
ＢＭ１１２とＣＦ層１１３との配置関係について、図４を用いて、より詳細に説明する。
図４（ａ）は、実施の形態１のＣＦ１２の構成を示す部分断面図（図３のＡ−Ａ’断面）であり、図４（ｂ）は、実施の形態１のＣＦ１２の構成を示す部分断面図（図３のＢ−Ｂ’断面）である。図４（ａ）に示すように、各ＣＦ層１１３（Ｒ）、（Ｇ）、（Ｂ）は、両側のＢＭ１１２の端部上面に一部が乗り上げた状態で形成されている。ここで、ＣＦ層１１３（Ｒ）及びＣＦ層１１３（Ｂ）に着目すると、ＣＦ層１１３（Ｒ）における、画素間ＢＭ１１２上面に形成された部分がＣＦ層１１３（Ｂ）側に、ＣＦ層１１３（Ｂ）における、画素間ＢＭ１１２上面に形成された部分がＣＦ層１１３（Ｒ）側にそれぞれ延設しており、かつ、それらが重畳している。
【００５２】
そのため、ＣＦ１２全体として見た場合に、この重畳している部分（画素間に対応する部分）が凸部となり、画素内に対応する部分に形成された各ＣＦ層１１３（Ｒ）、（Ｇ）、（Ｂ）が全体として凹部となっている。
また、本実施の形態のＣＦ１２では、画素間ＢＭ１１２の中央部において、当該画素間ＢＭ１１２上面に形成されたＣＦ層１１３（Ｒ）及びＣＦ層１１３（Ｂ）の部分同士が重畳している。
【００５３】
ここで、各ＣＦ層１１３（Ｒ）、（Ｇ）、（Ｂ）の膜厚ｔｈ１は共通しており、例えば１〜１．８μｍである。ＢＭ１１２上面の凸部の膜厚（ＣＦ層が重畳している部分における、最も厚い部分の膜厚）ｔｈ２は、２〜３．６μｍである。また、ＢＭ１１２の膜厚は、例えば、１〜１．２μｍである。
このように、実施の形態１のＣＦ１２では、画素間ＢＭ１１２上面に凹部が存在しない構成となっている。
【００５４】
また、図４（ｂ）に示すように、ＣＦ層１１３ｂ（Ｂ）の一端である、ＣＦ層１１３ｃ（Ｂ）側のＢＭ１１２上面に形成された部分が、ＣＦ層１１３ｃ（Ｂ）側に延設している。このため、当該部分が、ＣＦ層１１３ｂ（Ｂ）の他端である、ＣＦ層１１３ａ（Ｂ）側のＢＭ１１２上面に形成された部分より長くなっている。
その結果、ＢＭ１１２上面に形成された、隣接するＣＦ層１１３ｂ（Ｂ）、１１３ｃ（Ｂ）の部分同士の間隔ｌ２は、後述する比較用のＣＦにおける間隔ｌ５（図６（ｃ）参照）（すなわち、ＣＦ層１１３ｃ（Ｂ）側に延設しない場合）と比較し、狭くなっている。間隔ｌ２は、図４（ａ）に示す間隔ｌ１（ＣＦ層１１３（Ｒ）における、サブピクセル間ＢＭ１１２上面に形成された部分と、隣接するＣＦ層１１３（Ｇ）における、当該サブピクセル間ＢＭ１１２上面に形成された部分との間隔）と同一、または所定の近似値の範囲内であることが好ましい。所定の近似値の範囲内とは、間隔ｌ１に対して例えば０．５〜１．５倍の範囲内である。間隔ｌ１は、例えば１０μｍである。その場合には、間隔ｌ２は、５〜１５μｍであることが望ましい。
【００５５】
なお、ここでは図示しないが、ＣＦ層１１３（Ｒ）及びＣＦ層１１３（Ｇ）についても、図４（ｂ）で示したものと同様の構成となっている。
続いて、有機ＥＬ表示パネル１０における各部の材料等について詳細に説明する。
＜各部構成＞
ＴＦＴ基板１０１は、例えば、無アルカリガラス、ソーダガラス、無蛍光ガラス、燐酸系ガラス、硼酸系ガラス、石英、アクリル系樹脂、スチレン系樹脂、ポリカーボネート系樹脂、エポキシ系樹脂、ポリエチレン、ポリエステル、シリコーン系樹脂、又はアルミナ等の絶縁性材料の基板本体上に、ＴＦＴ、配線部材、および前記ＴＦＴを被覆するパッシベーション膜など（図示せず）を形成した構成である。また、前記基板本体は有機樹脂フィルムであってもかまわない。
【００５６】
層間絶縁膜１０２は、ＴＦＴ基板１０１の表面段差を平坦に調整するために設けられ、ポリイミド系樹脂またはアクリル系樹脂等の絶縁材料で構成されている。
陽極１０３ａ及び補助電極１０３ｂは、Ａｌ（アルミニウム）、あるいはアルミニウム合金で形成されている。なお、陽極１０３は、例えば、Ａｇ（銀）、銀とパラジウムと銅との合金、銀とルビジウムと金との合金、ＭｏＣｒ（モリブデンとクロムの合金）、ＮｉＣｒ（ニッケルとクロムの合金）等で形成されていても良い。本実施の形態１に係る有機ＥＬ表示パネル１０はトップエミッション型であるので、陽極１０３は、光反射性の材料で形成されていることが好ましい。
【００５７】
バンク１０４は、樹脂等の有機材料で形成されており絶縁性を有する。有機材料の例として、アクリル系樹脂、ポリイミド系樹脂、ノボラック型フェノール樹脂等が挙げられる。バンク１０４は、有機溶剤耐性を有することが好ましい。さらに、バンク１０４はエッチング処理、ベーク処理等がされることがあるので、それらの処理に対して過度に変形、変質などをしないような耐性の高い材料で形成されることが好ましい。
【００５８】
有機発光層１０５は、例えば、特開平５−１６３４８８号公報に記載のオキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、シアニン化合物、アクリジン化合物、８−ヒドロキシキノリン化合物の金属錯体、２−ビピリジン化合物の金属錯体、シッフ塩とＩＩＩ族金属との錯体、オキシン金属錯体、希土類錯体等の蛍光物質で形成されることが好ましい。
【００５９】
陰極１０６は、例えば、ＩＴＯ（酸化インジウムスズ）やＩＺＯ（酸化インジウム亜鉛）等で形成される。有機ＥＬ表示パネル１０はトップエミッション型であるので、陰極１０６は、光透過性の材料で形成されることが好ましい。
封止層１０７は、有機発光層１０５等が水分に晒されたり、空気に晒されたりすることを抑制する機能を有し、例えば、ＳｉＯ（酸化シリコン）、ＳｉＮ（窒化シリコン）、ＳｉＯＮ（酸窒化シリコン）、ＳｉＣ（炭化ケイ素）、ＳｉＯＣ（炭素含有酸化シリコン）、ＡｌＮ（窒化アルミニウム）、Ａｌ2Ｏ3（酸化アルミニウム）等の材料で形成される。有機ＥＬ表示パネル１０はトップエミッション型であるので、封止層１０７は、光透過性の材料で形成されることが好ましい。
【００６０】
ＣＦの基板本体１１１は、有機ＥＬ表示パネル１０における前面基板であり、ＴＦＴ基板１０１における基板本体と同様の材料で構成することができる。但し、有機ＥＬ表示パネル１０をトップエミッション型にするため、良好な透明性を持つことが要求される。
ＢＭ１１２は、有機ＥＬ表示パネル１０の表示面への外光の照り返しや外光の入射を防止し、表示コントラストを向上させる目的で設けられる黒色層である。例えば光吸収性及び遮光性に優れる黒色顔料を含む紫外線硬化樹脂材料で構成される。
【００６１】
ＣＦ層１１３（Ｒ）、（Ｇ）、（Ｂ）は、赤色、緑色、青色に対応した各々の波長域の可視光を透過する、公知の樹脂材料で構成されている。
樹脂封止層１２１は、外部からの水分やガスの侵入を防止する目的で配設され、各種透明樹脂材料（エポキシ系樹脂、アクリル系樹脂、シリコーン系樹脂等）で構成される。樹脂材料の粘度は、樹脂材料の拡がり具合と密着性とを考慮し設定される必要があり、例えば、５００ｍＰａ・ｓである。
【００６２】
＜製造方法＞
続いて、ＣＦ１２の製造工程を例示する。図５は、ＣＦ１２の製造工程の一例を示す図である。まず、紫外線硬化樹脂（例えば紫外線硬化アクリル樹脂）材料を主成分とし、これに黒色顔料を添加してなるＢＭ材料を溶媒に分散させ、ＢＭペーストを調整する。これを基板本体１１１の一方の面に塗布する（図５（ａ））。
【００６３】
塗布したＢＭペーストを乾燥し、溶媒をある程度揮発させて形態を保持できる程度になったら、ＥＬ基板１１側に形成されるバンク１０４位置に対応するように所定形状の開口部を持つパターンマスクを重ねる（図５（ｂ））。そして、重ねたパターンマスクの上から紫外線照射を行う。
その後、塗布・溶媒除去したＢＭペーストを焼成し、パターンマスク及び未硬化のＢＭペーストを除去して現像し、キュアすると、図５（ｃ）に示すように、バンク１０４の位置に合わせたＢＭ１１２が完成する。
【００６４】
次に、ＢＭ１１２を形成した基板表面に、紫外線硬化樹脂成分を主成分とするＣＦ層１１３（Ｒ）の材料を溶媒に分散させ、ペースト（Ｒ）を塗布する。溶媒を一定除去した後、所定のパターンマスクを載置し、紫外線照射を行う。
その後、キュアを行い、パターンマスク及び未硬化のペースト（Ｒ）を除去して現像すると、図５（ｄ）に示すように、ＣＦ層１１３（Ｒ）が形成される。
【００６５】
ＣＦ層１１３（Ｒ）は、ＢＭ１１２の形状に沿って形成されており、両側のＢＭ１１２の端部上面に一部が乗り上げた状態となっている。また、ＣＦ層１１３（Ｒ）における、画素間ＢＭ１１２上面に形成された部分が、サブピクセル間ＢＭ１１２上面に形成された部分より長くなっている。
上記ＣＦ層１１３（Ｒ）形成工程を各色のＣＦ材料について同様に繰り返すことで、ＣＦ層１１３（Ｇ）、（Ｂ）を形成する。これにより、各有機発光層１０５の位置に合わせてＣＦ層１１３（Ｇ）、（Ｂ）が形成される（図５（ｅ）、（ｆ））。
【００６６】
ＣＦ層１１３（Ｇ）、（Ｂ）も、ＣＦ層１１３（Ｒ）と同様、ＢＭ１１２の形状に沿って形成されており、両側のＢＭ１１２の端部上面に一部が乗り上げた状態となっている。ただし、ＣＦ層１１３（Ｂ）における、画素間ＢＭ１１２上面に形成された部分が、サブピクセル間ＢＭ１１２上面に形成された部分より長くなっており、かつ、ＣＦ層１１３（Ｒ）における、画素間ＢＭ１１２上面に形成された部分に重畳している。
【００６７】
また、ＣＦ層１１３（Ｇ）においては、当該ＣＦ層の両側のＢＭ１１２上面に形成された部分はどちらも延設されていない。
以上の工程を経ることで、本実施の形態のＣＦ１２が完成する。
この後の工程について簡単に説明すると、完成したＣＦ１２の外周部分に、所定の工程を経て完成したＥＬ基板１１と当該ＣＦ１２とを封止するためのシール材（ＤＡＭ）のペーストを塗布し、さらに、ＣＦ１２の外周部分を除く部分に樹脂封止用の樹脂材料（ＦＩＬＬ）を、所定の間隔を空けて滴下していく。滴下が終了すると、その後、真空状態においてＥＬ基板１１とＣＦ１２とを貼り合わせた後、焼成して封止工程を完了すると、有機ＥＬ表示パネル１０が完成する。
【００６８】
＜本実施の形態のＣＦと比較用のＣＦとの比較＞
続いて、本実施の形態におけるＣＦ１２と比較用のＣＦとで、樹脂の拡がり具合にどのような違いがあるかについて説明する。ここで、比較用のＣＦとして、画素間ＢＭ１１２上に形成されたＣＦ層の部分を延設していないものを用いる。以下、比較用のＣＦについて説明する。
【００６９】
（比較用のＣＦにおけるＢＭ２１２とＣＦ層２１３との配置関係）
比較用のＣＦにおけるＢＭの配置位置に関しては、図３（ａ）に示したものと同様である。図６（ａ）は、比較用のＣＦのＢＭとＣＦ層との配置関係を模式的に示す図である。図６（ａ）に示すように、Ｘ軸方向に隣り合う３つのＣＦ層２１３（Ｒ）、（Ｇ）、（Ｂ）を１単位とし、これが行列状に複数形成されている。この点については、図３（ｂ）で示したものと同様である。ただし、比較用のＣＦでは、ＣＦ層２１３（Ｒ）、（Ｇ）、（Ｂ）の各々のＸ軸方向及びＹ軸方向の幅は、同一である。
【００７０】
ＢＭ２１２とＣＦ層２１３との配置関係について、図６（ｂ）及び図６（ｃ）を用いて、より詳細に説明する。
図６（ｂ）は、比較用のＣＦの構成を示す部分断面図（図６（ａ）のＣ−Ｃ’断面）であり、図６（ｃ）は、比較用のＣＦの構成を示す部分断面図（図６（ａ）のＤ−Ｄ’断面）である。図６（ｂ）に示すように、各ＣＦ層２１３（Ｒ）、（Ｇ）、（Ｂ）は、両側のＢＭ２１２の端部上面に一部が乗り上げた状態で形成されている。この点については、実施の形態１のＣＦ１２と同様である。ただし、ＣＦ層２１３（Ｒ）に着目すると、ＣＦ層２１３（Ｒ）における、画素間ＢＭ上面に形成された部分が、隣接するＣＦ層２１３（Ｂ）側に延設されていない。続いてＣＦ層２１３（Ｂ）に着目すると、ＣＦ層２１３（Ｒ）と同様、ＣＦ層２１３（Ｂ）における、画素間ＢＭ上面に形成された部分が、隣接するＣＦ層２１３（Ｒ）側に延設されていない。すなわち、ＣＦ層２１３（Ｒ）及びＣＦ層２１３（Ｂ）における、画素間ＢＭ上面に形成された部分とサブピクセル間ＢＭ上面に形成された部分の幅は、同一である。
【００７１】
その結果、画素間ＢＭ２１２上面に形成されたＣＦ層２１３（Ｒ）の部分と当該画素間ＢＭ上面に形成されたＣＦ層２１３（Ｂ）の部分との間隔ｌ３は、サブピクセル間ＢＭ上面に形成されたＣＦ層２１３（Ｒ）の部分と当該サブピクセル間ＢＭ上面に形成された、隣接するＣＦ層２１３（Ｇ）の部分との間隔ｌ４に比べて、広くなっている。間隔ｌ４が、例えば１０μｍである場合には、間隔ｌ３は例えば４０μｍである。
【００７２】
また、図６（ｃ）に示すように、ＣＦ層２１３ｂ（Ｂ）の一端である、ＣＦ層２１３ｃ（Ｂ）側のＢＭ２１２上面に形成された部分も、当該ＣＦ層２１３ｃ（Ｂ）側に延設されていない。そのため、ＢＭ２１２上面に形成された、隣接するＣＦ層２１３ｂ（Ｂ）、２１３ｃ（Ｂ）の部分同士の間隔ｌ５も、間隔ｌ４に比べて広くなっている。間隔ｌ４が、例えば１０μｍである場合には、間隔ｌ５は例えば４０μｍである。
【００７３】
なお、ここでは図示しないが、ＣＦ層２１３（Ｒ）及びＣＦ層２１３（Ｇ）についても、図６（ｃ）で示したものと同様の構成となっている。
このように、比較用のＣＦでは、Ｘ軸方向及びＹ軸方向ともに、画素間ＢＭ２１２上において幅広の凹部が形成されている。
（比較用のＣＦにおける樹脂の拡がり具合）
図７（ａ）は、比較用のＣＦに樹脂２２１１を複数滴、滴下した状態を示す模式図及び比較用のＣＦでの樹脂の拡がり具合を示す模式図である。図７（ｂ）は、樹脂２２１１が滴下された状態における、比較用のＣＦの構成を示す模式図（図７（ａ）のＥ−Ｅ’断面）である。
【００７４】
図７（ａ）上図に示すように、ＣＦ上には、樹脂２２１１が所定間隔を空けて複数滴、滴下される。樹脂２２１１が滴下された後、ＣＦ上では樹脂が拡がり始めるが、図７（ａ）下図、及び図７（ｂ）に示すように、樹脂２２１１は、ＣＦ層上ではなく、画素間ＢＭ１１２上から拡がり始める。これは、ＣＦが凹凸形状を有しており、ＣＦ層上面に比べＢＭ上面が低い位置にあるため、より低い位置にあるＢＭ上面が、樹脂が拡がる際の通路となるからである。なお、サブピクセル間ＢＭ上面もＣＦ層上面に比べ低い位置にあるが、サブピクセル間ＢＭ上面においては、隣接するＣＦ層の間隔が十分に狭い。そのため、表面張力の影響により、樹脂が拡がらないと考えられる。
【００７５】
このように、比較用のＣＦでは、画素間ＢＭ１１２上面に樹脂が真っ先に拡がるため、ＣＦ層上に樹脂が拡がっていない領域が存在する。このため、ＣＦとＥＬ基板とを貼り合わせて構成される有機ＥＬ表示パネル１０において、有機発光層に相当する領域では樹脂が充填されていない未充填部分が生じる。
図８は、比較用のＣＦを用いた有機ＥＬ表示パネル１０００の構成を模式的に示す部分断面端面図である。図８において白塗り領域は、樹脂が充填されていない未充填領域を示す。図８に示すように、比較用のＣＦを用いた有機ＥＬ表示パネル１０００では、ＣＦとＥＬ基板とを貼り合わせる際の圧力により、有機発光層側に樹脂が一部拡がるものの、未充填部分を排除するには至っていない。
【００７６】
したがって、画素間ＢＭに対応する領域では、樹脂２２１が充填されているものの、有機発光層に相当する領域では、未充填領域が生じている。
なお、ここでは、Ｙ軸方向への拡がりについて説明したが、Ｘ軸方向への拡がりについても幅広の凹が存在するため、同様のことが言える。
（本実施の形態のＣＦ１２における樹脂の拡がり具合）
続いて、本実施の形態のＣＦ１２に樹脂を滴下した場合の拡がり具合について説明する。図９（ａ）は、実施の形態１のＣＦに樹脂を滴下した状態を示す模式図及び実施の形態１のＣＦでの樹脂の拡がり具合を示す模式図である。図９（ｂ）は、樹脂が滴下された状態における、実施の形態１のＣＦ１２の構成を示す模式図（図９（ａ）のＦ−Ｆ’断面）である。
【００７７】
本実施の形態のＣＦ１２では、ＣＦ１２全体として見た場合に、画素間ＢＭ上面に凸部が形成され、画素内に対応する部分に形成された各ＣＦ層１１３（Ｒ）、（Ｇ）、（Ｂ）全体として凹部が形成されている。
そのため、ＢＭ１１２と各ＣＦ層とで段差が生じているものの、画素間ＢＭ上面には幅広の凹部は存在していない。
【００７８】
比較用のＣＦでの樹脂の拡がり方から明らかなように、樹脂は幅広の凹部から拡がっていく。実施の形態１のＣＦ１２では、画素内に対応する部分に形成された各ＣＦ層１１３（Ｒ）、（Ｇ）、（Ｂ）が、全体として幅広の凹部となるので、比較用のＣＦとは逆に、図９（ａ）下図に示すように、樹脂１２１１は、各ＣＦ層１１３（Ｒ）、（Ｇ）、（Ｂ）上から真っ先に拡がっていく。
【００７９】
したがって、画素間ＢＭ上面の凹部にのみ樹脂が多量に拡がるということを抑制することができる。
その結果、ＣＦとＥＬ基板とを貼り合わせた際には、図２に示したように、有機発光層に相当する領域に樹脂が充填される。
また、本実施の形態のＣＦ１２では、画素間ＢＭ１１２の中央部において、当該画素間ＢＭ１１２上面に形成されたＣＦ層１１３（Ｒ）及びＣＦ層１１３（Ｂ）の部分同士が重畳している。このため、図９（ｂ）に示すように、隣接する画素に対応する各領域に樹脂が均等に拡がり易くなるので、各領域で樹脂の充填度合いに差が生じ難くなる。また、各領域に樹脂が均等に拡がり易くなることで、何れの領域においても樹脂の未充填部分を低減することができる。
【００８０】
なお、ここでは、Ｙ軸方向への拡がりについて説明したが、Ｘ軸方向への拡がりに
ついては、図１０を用いて説明する。図１０（ａ）は、実施の形態１のＣＦ１２での樹脂の拡がり具合を示す模式図であり（図９（ａ）の領域Ａ）、図１０（ｂ）は、樹脂が滴下された状態における、実施の形態１のＣＦの構成を示す模式図（図９（ａ）のＧ−Ｇ’断面）である。図４（ａ）、（ｂ）に示したように、画素間ＢＭ１１２上面における間隔ｌ２は、サブピクセル間ＢＭ１１２における間隔ｌ１と同一または所定の近似値の範囲内である。そのため、ＢＭ１１２と各ＣＦ層１１３（Ｒ）、（Ｇ）、（Ｂ）とで段差が生じているものの、画素間ＢＭ１１２上面には幅広の凹部は存在しない。よって、画素間ＢＭ上面の凹部に樹脂が真っ先に拡がっていくのではなく、図１０（ａ）、（ｂ）に示すように、樹脂はＣＦ１２上を同心円状に拡がっていく。
【００８１】
したがって、Ｘ軸方向への拡がりに関しても、画素間ＢＭ上面の凹部にのみ樹脂が
多量に拡がるということを抑制することができる。
以上のように本実施の形態によれば、ＣＦ層１１３（Ｂ）における、画素間ＢＭ１１２の上面に形成された部分が、隣接するＣＦ層１１３（Ｒ）側に延設され、かつ、ＣＦ層１１３（Ｒ）における、画素間ＢＭ１１２の上面に形成された部分に重畳している。
【００８２】
このため、画素間ＢＭ１１２の幅が、サブピクセル間ＢＭ１１２の幅より広くなっているものの、画素間ＢＭ１１２上には、樹脂が拡がる際の通路となり得る幅広の凹部は存在しない。
画素間ＢＭ１１２上には、ＣＦ層１１３（Ｒ）、（Ｇ）が重畳されているため、ＣＦ１２全体としてみた場合には、逆に、凸部が形成されることになる。そして、この凸部に対して、画素に対応する領域に形成された各ＣＦ層１１３（Ｒ）、（Ｇ）、（Ｂ）全体として凹部が形成されている。
【００８３】
このことは、各ＣＦ層１１３（Ｒ）、（Ｇ）、（Ｂ）全体で、樹脂が拡がる際の通路となる凹部を形成していることを意味するので、ＣＦ１２に樹脂を滴下した場合に、画素間ＢＭ１１２上面の凸部に樹脂が拡がりづらくなる一方で、凹部となる各ＣＦ層１１３（Ｒ）、（Ｇ）、（Ｂ）上には樹脂が拡がり易くなる。
ＣＦ１２に樹脂を滴下した際に各ＣＦ層１１３上に樹脂が拡がりやすくなるので、ＣＦ１２とＥＬ基板１１とを貼り合わせた際の、すなわち、有機ＥＬ表示パネル１０における、有機発光層に相当する領域での樹脂の未充填部分を低減することができる。
【００８４】
また、本実施の形態の有機ＥＬ表示パネル１０では、別途特別な材料を用いて画素間ＢＭ１１２上に凸部を形成するのではなく、ＣＦ層という既存材料を延設させることにより画素間ＢＭ１１２上に凸部を形成するので、簡易な構成により未充填部分を低減することができる。
［変形例１−１］
続いて、ＣＦにおける各ＣＦ層をストライプ状に形成した一変形例について説明する。図１１は、変形例１−１におけるＢＭとＣＦ層との配置関係を模式的に示す図である。図１１に示すように、ＣＦ層１１３（Ｒ）及びＣＦ層１１３（Ｂ）がそれぞれ、互いの方向に延設している。この点においては、図３（ｂ）で示したＣＦ１２と共通している。ただし、変形例１−１のＣＦ１２では、各ＣＦ層１１３（Ｒ）、（Ｇ）、（Ｂ）がストライプ状に形成されている。すなわち、Ｙ軸方向においては、各ＣＦ層１１３（Ｒ）、（Ｇ）、（Ｂ）は、サブピクセルに相当する領域毎にパターニングされるのではなく、連続して形成されている。
【００８５】
これにより、Ｙ軸方向においては、ＢＭ１１２上面における凹部が存在しないため、各ＣＦ層１１３（Ｒ）、（Ｇ）、（Ｂ）上への樹脂の拡がりをより一層促進させることができる。
なお、ＢＭ１１２の配置位置に関しては図３（ａ）で示したものと同様である。
［実施の形態２］
本実施の形態では、ＢＭが形成されず、Ｒ、Ｇ、Ｂに対応する各ＣＦ層のみが形成されたＣＦについて説明する。
＜有機ＥＬ表示パネル１０の構成＞
（有機ＥＬ表示パネル１０の概略構成）
本実施の形態の有機ＥＬ表示パネル１０の構成について詳細に説明する。図１２は、実施の形態２の有機ＥＬ表示パネル１０の要部を模式的に示す部分断面図である。図１２に示すように、基板本体１１１の一方の面（ＥＬ基板１１に対向する対向面）で、かつ、有機発光層１０５（Ｒ）、（Ｇ）、（Ｂ）に対応する各領域に、対応する色のＣＦ層１１３（Ｒ）、（Ｇ）、（Ｂ）がそれぞれ形成されている。
【００８６】
ＥＬ基板１１については、実施の形態１と同様であるので、ここではその説明を省略する。
続いて、ＣＦ１２の構成について詳細に説明する。図１３（ａ）は、実施の形態２のＣＦ層の配置関係を模式的に示す図である。図１３（ａ）に示すように、ＣＦ層１１３（Ｒ）及びＣＦ層１１３（Ｂ）がそれぞれ、互いの方向に延設している。そのため、ＣＦ層１１３（Ｒ）及びＣＦ層１１３（Ｂ）のＸ軸方向の幅が、ＣＦ層１１３（Ｇ）のＸ軸方向の幅に比べて、広くなっている。
【００８７】
ＢＭ１１２とＣＦ層１１３との配置関係について、図１３（ｂ）、（ｃ）を用いて、より詳細に説明する。図１３（ｂ）は、実施の形態２のＣＦの構成を示す部分断面図（図１３（ａ）のＨ−Ｈ’断面）である。図１３（ｃ）は、実施の形態２のＣＦの構成を示す部分断面図（図１３（ａ）のＩ−Ｉ’断面）である。
図１３（ｂ）において、ＣＦ層１１３（Ｒ）及びＣＦ層１１３（Ｂ）に着目すると、ＣＦ層１１３（Ｒ）のＣＦ層１１３（Ｂ）側の端部と、ＣＦ層１１３（Ｂ）のＣＦ層１１３（Ｒ）側の端部とが重畳している。
【００８８】
そのため、ＣＦ１２全体として見た場合に、この重畳している部分（画素間に対応する部分）が凸部となり、画素内に対応する部分に形成された各ＣＦ層１１３（Ｒ）、（Ｇ）、（Ｂ）が全体として凹部となる。
また、図１３（ａ）及び図１３（ｃ）に示すように、ＣＦ層１１３（Ｂ）は、Ｙ軸方向に延設している。隣接するＣＦ層１１３（Ｂ）の間隔ｌ７は、図１３（ｂ）に示した間隔ｌ６と同一、または所定の近似値の範囲内であることが好ましい。所定の近似値の範囲内については、実施の形態１で述べた通りである。
【００８９】
なお、ここでは図示しないが、ＣＦ層１１３（Ｒ）及びＣＦ層１１３（Ｇ）についても、図１３（ｃ）で示したものと同様の構成となっている。
以上のように、ＣＦ層１１３（Ｒ）、（Ｇ）、（Ｂ）のみが形成されたＣＦでは、隣接するＣＦ層間の領域が、ＣＦ全体としてみた場合に凹部となるが、上述したように、ＣＦ層１１３（Ｒ）及びＣＦ層１１３（Ｇ）をそれぞれ互いの方向に延設し、かつ、それらを重畳させることにより、隣接するＣＦ層間の領域に、ＣＦ全体としてみた場合に凸部を形成することができる。そして、この凸部に対して、ＣＦ層１１３（Ｒ）、（Ｇ）、（Ｂ）全体として凹部が形成されるので、ＣＦに樹脂を滴下した場合に、隣接するＣＦ層間の領域における凸部に樹脂が拡がりづらくなる一方で、凹部となる各ＣＦ層１１３（Ｒ）、（Ｇ）、（Ｂ）上には樹脂が拡がり易くなる。
【００９０】
ＣＦに樹脂を滴下した際に各ＣＦ層１１３（Ｒ）、（Ｇ）、（Ｂ）上に樹脂が拡がりやすくなるので、ＣＦ１２とＥＬ基板１１とを貼り合わせた際の、すなわち、有機ＥＬ表示パネル１０における、有機発光層に相当する領域での樹脂の未充填部分を低減することができる。
また、本実施の形態のＣＦ１２において、各ＣＦ層１１３（Ｒ）、（Ｇ）、（Ｂ）をＹ軸方向に延設することにより、隣接するＣＦ層間の領域における凹部を狭めることができる。その結果、ＣＦ層上への樹脂の拡がりを促進することができる。
【００９１】
さらに、本実施の形態の有機ＥＬ表示パネル１０では、別途特別な材料を用いて隣接するＣＦ層間の領域に凸部を形成するのではなく、ＣＦ層という既存材料を幅広に形成することにより隣接するＣＦ層間の領域に凸部を形成するので、簡易な構成により未充填部分を低減することができる。
なお、各ＣＦ層１１３（Ｒ）、（Ｇ）、（Ｂ）が、ストライプ状に形成されていてもよい。
（補足）
以上、本発明に係る有機ＥＬ表示パネル１０について、実施の形態に基づいて説明したが、本発明は上記実施の形態に限られないことは勿論である。
（１）上記実施の形態におけるＥＬ基板１１において、陽極１０３ａと有機発光層１０５との間には、必要に応じて、ホール注入層、ホール輸送層またはホール注入兼輸送層が介挿されていてもよいし、陰極１０６と有機発光層１０５との間には、必要に応じて、電子注入層、電子輸送層または電子注入兼輸送層が介挿されていてもよい。
（２）上記実施の形態では、有機ＥＬ表示パネル１０のＣＦ１２を例に挙げて説明したが、このＣＦ１２を無機ＥＬ表示パネルに適用してもよい。
（３）上記実施の形態では、第１領域１１４、第２領域１１５、及び第３領域１１６の各々を区画する隔壁として、ＢＭ１１２を例に挙げて説明したが、各領域を区画する隔壁として機能すればＢＭ１１２に限らない。例えば、黒色顔料以外の色の顔料を含む紫外線硬化樹脂材料からなる隔壁であってもよい。
（４）上記実施の形態では、画素間ＢＭ１１２の中央部において隣接するＣＦ層の端部同士が重畳している構成としたが、重畳位置は中央部に限らない。画素間ＢＭ１１２上面で隣接するＣＦ層の端部同士が重畳していればよい。
（５）上記実施の形態では、画素の端部に対応する領域にＣＦ層１１３（Ｂ）とＣＦ層１１３（Ｒ）とが形成されていたが、配置関係はこれに限定されず、例えば、画素の端部に対応する領域にＣＦ層１１３（Ｇ）が形成されていてもよい。
（６）上記実施の形態では、図４（ｂ）に示すように、ＣＦ層１１３ｂ（Ｂ）の一端である、ＣＦ層１１３ｃ（Ｂ）側のＢＭ１１２上面に形成された部分が、ＣＦ層１１３ｃ（Ｂ）側に延設し、当該部分が、ＣＦ層１１３ｂ（Ｂ）の他端である、ＣＦ層１１３ａ（Ｂ）側のＢＭ１１２上面に形成された部分より長くなっているとしたが、これに限らず、間隔ｌ２が上記所定の近似値の範囲内になっていれば次のような構成でもよい。例えば、ＢＭ１１２上面に形成された、隣接するＣＦ層１１３の部分同士がそれぞれ、互いの方向に延設しているとしてもよい。
（７）上記各実施の形態では、表示装置１の外観を示さなかったが、例えば、図１４に示すような外観を有するものとすることができる。
（８）上記図７（ａ）に比較用のＣＦに樹脂を滴下した際の樹脂の拡がり具合を示す模式図を示したが、図１５は、実際に比較用のＣＦに樹脂を滴下した際の樹脂の拡がり具合を示す写真である。図１５からも、樹脂が、ＣＦ層上ではなく、画素間ＢＭ上から拡がり始めることが確認できる。
（９）上記実施の形態及び上記各変形例をそれぞれ組み合わせるとしてもよい。
【産業上の利用可能性】
【００９２】
本発明は、例えば、家庭用もしくは公共施設、あるいは業務用の各種表示装置、テレビジョン装置、携帯型電子機器用ディスプレイ等に利用可能である。
【符号の説明】
【００９３】
１          表示装置
１０        有機ＥＬ表示パネル
２０        駆動制御部
２１−２４  駆動回路
２５        制御回路
１０１      ＴＦＴ基板
１０２      層間絶縁膜
１０３ａ    陽極
１０３ｂ    補助電極
１０４      バンク
１０５      有機発光層
１０６      陰極
１０７      封止層
１１１      基板
１１２      ブラックマトリクス
１１３      ＣＦ層
１２１      樹脂封止層
【手続補正２】
【補正対象書類名】特許請求の範囲
【補正対象項目名】全文
【補正方法】変更
【補正の内容】
【特許請求の範囲】
【請求項１】
赤色光を出力する第１発光部、緑色光を出力する第２発光部、及び青色光を出力する第３発光部を一単位とする画素が行列状に複数配列されたＥＬ基板と、
前記ＥＬ基板の光の出力側に設けられたカラーフィルターのベースと、
前記カラーフィルターのベースの前記ＥＬ基板側に形成され、前記第１発光部に対応する第１領域、前記第２発光部に対応する第２領域、及び前記第３発光部に対応する第３領域の各々を区画するカラーフィルターの隔壁と、
前記第１領域を区画する両側の隔壁の上面から前記両側の隔壁の側面及び前記両側の隔壁によって区画された第１領域に対応するベースの表面、に沿った形状に窪んで形成され、所望の赤色光を透過する第１カラーフィルター層と、
前記第２領域を区画する両側の隔壁の上面から前記両側の隔壁の側面及び前記両側の隔壁によって区画された第２領域に対応するベースの表面、に沿った形状に窪んで形成され、所望の緑色光を透過する第２カラーフィルター層と、
前記第３領域を区画する両側の隔壁の上面から前記両側の隔壁の側面及び前記両側の隔壁によって区画された第３領域に対応するベースの表面、に沿った形状に窪んで形成され、所望の青色光を透過する第３カラーフィルター層と、
前記第１カラーフィルター層、前記第２カラーフィルター層、及び前記第３カラーフィルター層と、前記ＥＬ基板との間に充填された樹脂層と、を具備し、
隣接する第１画素と第２画素との間に対応する前記カラーフィルターの隔壁は共通しており、
共通している隔壁の幅は、各画素に対応する前記第１領域、前記第２領域、及び前記第３領域間の各々の前記カラーフィルターの隔壁の幅より広く、
前記第１画素に対応する前記第１領域、前記第２領域、及び前記第３領域の中で端部となる領域に形成されたカラーフィルター層の、前記第２画素側の隔壁の上面に形成された第１部分が、前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳することで、
前記隣接する第１画素と第２画素との間の前記共通した隔壁上において、前記第１部分と前記第２部分とが重畳している
ＥＬ表示パネル。
【請求項２】
前記第２画素に対応する前記第１領域、前記第２領域、及び前記第３領域の中で前記第１画素に隣接する領域に形成されたカラーフィルター層の、前記第１画素側の隔壁の上面に形成された第２部分は、前記第１画素側に延設されている
請求項１記載のＥＬ表示パネル。
【請求項３】
前記隣接する第１画素と第２画素との間に対応する前記カラーフィルターの隔壁の上面の中央部において、
前記第１画素に対応する前記第１領域、前記第２領域、及び前記第３領域の中で端部となる領域に形成されたカラーフィルター層の、前記第２画素側の隔壁の上面に形成された第１部分は、
前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳している
請求項２記載のＥＬ表示パネル。
【請求項４】
前記ＥＬ基板は、前記第１画素と前記第２画素との間に補助電極が配置され、
前記共通している隔壁は、前記補助電極と対向する位置に形成されている
請求項１〜３のいずれか１項に記載のＥＬ表示パネル。
【請求項５】
前記樹脂は封止樹脂である、
請求項１〜４のいずれか１項に記載のＥＬ表示パネル。
【請求項６】
前記第１画素に対応する前記第１領域、前記第２領域、及び前記第３領域の各領域に形成されたカラーフィルター層の、前記第２画素と交差する方向に隣接する第３画素側の隔壁の上面に形成された第３部分が、前記第３画素側に延設されることにより、
前記第１画素に対応する前記第１領域、前記第２領域、及び前記第３領域の各領域に形成されたカラーフィルター層の、前記第３画素側の隔壁の反対側の隔壁の上面に形成された部分より長くなっている
請求項１〜５のいずれか１項に記載のＥＬ表示パネル。
【請求項７】
赤色光を出力する第１発光部、緑色光を出力する第２発光部、及び青色光を出力する第３発光部を一単位とする画素が行列状に複数配列されたＥＬ基板と、
前記ＥＬ基板の光の出力側に設けられたカラーフィルターのベースと、
前記第１発光部に対応するベースの表面の領域である第１領域に形成され、所望の赤色光を透過する第１カラーフィルター層と、
前記第２発光部に対応するベースの表面であって、第１カラーフィルター層と所定の間隔で離間した第２領域に形成され、所望の緑色光を透過する第２カラーフィルター層と、
前記第３発光部に対応するベースの表面であって、第２カラーフィルター層と、前記所定の間隔と同一、あるいは所定の近似値の範囲内で離間した第３領域に形成され、所望の青色光を透過する第３カラーフィルター層と、
前記第１カラーフィルター層、前記第２カラーフィルター層、及び前記第３カラーフィルター層と、前記ＥＬ基板との間に充填された樹脂層と、を具備し、
第１画素に対応する前記第１領域、前記第２領域、及び前記第３領域の中で端部となる領域に形成されたカラーフィルター層は、前記第１画素に隣接する第２画素側に延設され、かつ、前記端部となる領域に形成されたカラーフィルター層の、前記第２画素側の端部は、前記隣接する第１画素と第２画素との間において、前記第２画素に対応する前記第１領域、前記第２領域、及び前記第３領域の中で前記第１画素に隣接する領域に形成されたカラーフィルター層の、前記第１画素側の端部に重畳している
ＥＬ表示パネル。
【請求項８】
前記第２画素に対応する前記第１領域、前記第２領域、及び前記第３領域の中で前記第１画素に隣接する領域に形成されたカラーフィルター層は、前記第１画素側に延設されている
請求項７記載のＥＬ表示パネル。
【請求項９】
前記隣接する第１画素と第２画素との間に対応する領域の中央部において、
前記第１画素に対応する前記第１領域、前記第２領域、及び前記第３領域の中で端部となる領域に形成されたカラーフィルター層の、前記第２画素側の端部は、前記第２画素に対応する前記第１領域、前記第２領域、及び前記第３領域の中で前記第１画素に隣接する領域に形成されたカラーフィルター層の、前記第１画素側の端部に重畳している
請求項８記載のＥＬ表示パネル。
【請求項１０】
前記ＥＬ基板は、前記第１画素と前記第２画素との間に補助電極が配置されている、
請求項７〜９のいずれか１項に記載のＥＬ表示パネル。
【請求項１１】
前記樹脂は封止樹脂である、
請求項７〜１０のいずれか１項に記載のＥＬ表示パネル。
【請求項１２】
前記第１画素に対応する前記第１領域、前記第２領域、及び前記第３領域の各領域に形成されたカラーフィルター層は、前記第２画素と交差する方向に隣接する第３画素側に延設されている
請求項７〜１１のいずれか１項に記載のＥＬ表示パネル。
【請求項１３】
請求項１〜１２のいずれか１項に記載のＥＬ表示パネルを備えた、
ＥＬ表示装置。
【請求項１４】
前記第１発光部、前記第２発光部、及び前記第３発光部の各々は、有機発光部である、
請求項１〜１３のいずれか１項に記載のＥＬ表示パネル。
【請求項１５】
請求項１４に記載のＥＬ表示パネルを備えた、
有機ＥＬ表示装置。
【請求項１６】
赤色光を出力する第１発光部、緑色光を出力する第２発光部、及び青色光を出力する第３発光部を一単位とする画素が行列状に複数配列されたＥＬ基板を準備する第１工程と、
カラーフィルターのベースを準備する第２工程と、
前記ベース上であって、前記ベースの前記ＥＬ基板と対向させる側に、前記第１発光部に対応する第１領域、前記第２発光部に対応する第２領域、及び前記第３発光部に対応する第３領域の各々を区画するカラーフィルターの隔壁を形成する第３工程と、
前記第１領域を区画する両側の隔壁の上面から前記両側の隔壁の側面及び前記両側の隔壁によって区画された第１領域に対応するベースの表面、に沿った形状に窪んで、所望の赤色光を透過する第１カラーフィルター層を形成する第４工程と、
前記第２領域を区画する両側の隔壁の上面から前記両側の隔壁の側面及び前記両側の隔壁によって区画された第２領域に対応するベースの表面、に沿った形状に窪んで、所望の緑色光を透過する第２カラーフィルター層を形成する第５工程と、
前記第３領域を区画する両側の隔壁の上面から前記両側の隔壁の側面及び前記両側の隔壁によって区画された第３領域に対応するベースの表面、に沿った形状に窪んで、所望の青色光を透過する第３カラーフィルター層を形成する第６工程と、
前記第１カラーフィルター層、前記第２カラーフィルター層、及び前記第３カラーフィルター層と、前記ＥＬ基板との間に樹脂材料を充填する第７工程とを具備し、
隣接する第１画素と第２画素との間に対応する前記カラーフィルターの隔壁は共通しており、
共通している隔壁の幅は、各画素に対応する前記第１領域、前記第２領域、及び前記第３領域間の各々の前記カラーフィルターの隔壁の幅より広く、
前記第１画素に対応する前記第１領域、前記第２領域、及び前記第３領域の中で端部となる領域に形成されたカラーフィルター層の、前記第２画素側の隔壁の上面に形成された第１部分が、
前記第２画素側に延設され、かつ、前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳することで、
前記隣接する第１画素と第２画素との間の前記共通した隔壁上において、前記第１部分と前記第２部分とが重畳している
ＥＬ表示パネルの製造方法。
【請求項１７】
前記第２画素に対応する前記第１領域、前記第２領域、及び前記第３領域の中で前記第１画素に隣接する領域に形成されたカラーフィルター層の、前記第１画素側の隔壁の上面に形成された第２部分は、前記第１画素側に延設されている
請求項１６記載のＥＬ表示パネルの製造方法。
【請求項１８】
前記隣接する第１画素と第２画素との間に対応する前記カラーフィルターの隔壁の上面の中央部において、
前記第１画素に対応する前記第１領域、前記第２領域、及び前記第３領域の中で端部となる領域に形成されたカラーフィルター層の、前記第２画素側の隔壁の上面に形成された第１部分は、
前記第２画素に対応する前記第１領域、前記第２領域、及び前記第３領域の中で前記第１画素に隣接する領域に形成されたカラーフィルター層の、前記第１画素側の隔壁の上面に形成された第２部分に重畳している
請求項１７記載のＥＬ表示パネルの製造方法。
【請求項１９】
前記第１画素に対応する前記第１領域、前記第２領域、及び前記第３領域の各領域に形成されたカラーフィルター層の、前記第２画素と交差する方向に隣接する第３画素側の隔壁の上面に形成された第３部分が、前記第３画素側に延設されることにより、
前記第１画素に対応する前記第１領域、前記第２領域、及び前記第３領域の各領域に形成されたカラーフィルター層の、前記第３画素側の隔壁の反対側の隔壁の上面に形成された部分より長くなっている
請求項１６〜１８のいずれか１項に記載のＥＬ表示パネルの製造方法。
【請求項２０】
赤色光を出力する第１発光部、緑色光を出力する第２発光部、及び青色光を出力する第３発光部を一単位とする画素が行列状に複数配列されたＥＬ基板を準備する第１工程と、
カラーフィルターのベースを準備する第２工程と、
前記第１発光部に対応するベースの表面の領域である第１領域に、所望の赤色光を透過する第１カラーフィルター層を形成する第３工程と、
前記第２発光部に対応するベースの表面であって、第１カラーフィルター層と所定の間隔で離間した第２領域に、所望の緑色光を透過する第２カラーフィルター層を形成する第４工程と、
前記第３発光部に対応するベースの表面であって、第２カラーフィルター層と、前記所定の間隔と同一、あるいは所定の近似値の範囲内で離間した第３領域に、所望の青色光を透過する第３カラーフィルター層を形成する第５工程と、
前記第１カラーフィルター層、前記第２カラーフィルター層、及び前記第３カラーフィルター層と、前記ＥＬ基板と、の間に樹脂材料を充填する第６工程とを具備し、
第１画素に対応する前記第１領域、前記第２領域、及び前記第３領域の中で端部となる領域に形成されたカラーフィルター層は、前記第１画素に隣接する第２画素側に延設され、かつ、前記端部となる領域に形成されたカラーフィルター層の、前記第２画素側の端部は、前記隣接する第１画素と第２画素との間において、前記第２画素に対応する前記第１領域、前記第２領域、及び前記第３領域の中で前記第１画素に隣接する領域に形成されたカラーフィルター層の、前記第１画素側の端部に重畳している
ＥＬ表示パネルの製造方法。
【請求項２１】
前記第２画素に対応する前記第１領域、前記第２領域、及び前記第３領域の中で前記第１画素に隣接する領域に形成されたカラーフィルター層は、前記第１画素側に延設されている
請求項２０記載のＥＬ表示パネルの製造方法。
【請求項２２】
前記隣接する第１画素と第２画素との間に対応する領域の中央部において、
前記第１画素に対応する前記第１領域、前記第２領域、及び前記第３領域の中で端部となる領域に形成されたカラーフィルター層の、前記第２画素側の端部は、前記第２画素に対応する前記第１領域、前記第２領域、及び前記第３領域の中で前記第１画素に隣接する領域に形成されたカラーフィルター層の、前記第１画素側の端部に重畳している
請求項２１記載のＥＬ表示パネルの製造方法。
【請求項２３】
前記第１画素に対応する前記第１領域、前記第２領域、及び前記第３領域の各領域に形成されたカラーフィルター層は、前記第２画素と交差する方向に隣接する第３画素側に延設されている
請求項２０〜２２のいずれか１項に記載のＥＬ表示パネルの製造方法。
【国際調査報告】
2011158288.tif 000018
2011158288.tif 000019
2011158288.tif 000020
2011158288.tif 000021